(57)【要約】      （修正有）【課題】共有フォルダ内のファイルを管理することにより、他のユーザのファイル更新に関して直観的に知らせることができ、ユーザ利便性を改善したフォルダ基盤のファイル管理装置及び方法を提供する。【解決手段】フォルダ基盤のファイル管理装置は、メモリ及びメモリと電気的に接続されたプロセッサを備える。プロセッサは、ユーザ端末のフォルダへのアクセスを感知し、ユーザ端末のアクセスが許容されたフォルダ内ファイルのファイル目録を提供し、ユーザ端末のアクセスが許容されたそれぞれのファイルに対応するファイルバッジを提供する。ファイルバッジは、ユーザ端末によるアクセスが許容されたファイルがアップロードされるか、更新されてファイル更新履歴が発生した場合、ユーザ端末によってまだ読み出されていないファイル更新履歴の個数を表す。【選択図】図６
2019083014.tif 000002
【特許請求の範囲】
【請求項１】
メモリ及び前記メモリと電気的に接続されたプロセッサを備え、
前記プロセッサは、
（ａ）ユーザ端末のフォルダへのアクセスを感知し、
（ｂ）前記ユーザ端末のアクセスが許容された前記フォルダ内ファイルのファイル目録を提供し、
（ｃ）前記ユーザ端末のアクセスが許容されたそれぞれの前記ファイルに対応するファイルバッジを提供し、
前記ファイルバッジは、前記ユーザ端末によるアクセスが許容された前記ファイルがアップロードされる、または、更新されてファイル更新履歴が発生した場合、前記ユーザ端末によってまだ読み出されていない前記ファイル更新履歴の個数を表すことを特徴とするフォルダ基盤のファイル管理装置。
【請求項２】
前記プロセッサは
前記ファイルの修正、変更、メモ追加を含む前記ファイルの更新履歴を検出し、前記ファイルに対する前記更新履歴によってファイル別ファイル修正履歴をユーザ独立的に更新することを特徴とする請求項１に記載のフォルダ基盤のファイル管理装置。
【請求項３】
前記プロセッサは
前記ユーザ端末に対応する前記ユーザのユーザ識別情報を取得して、前記ユーザ端末の前記フォルダへのアクセス権限有無を確認することを特徴とする請求項２に記載のフォルダ基盤のファイル管理装置。
【請求項４】
前記プロセッサは
前記ファイル別ファイル修正履歴と前記ユーザ識別情報、及び前記ユーザ端末のファイル別ファイルアクセス時間に基づいて、前記ユーザに対応するファイル別ファイルバッジを作成することを特徴とする請求項３に記載のフォルダ基盤のファイル管理装置。
【請求項５】
前記プロセッサは
前記ユーザ端末による前記ファイルへのアクセスを検出して、前記ユーザのファイル別最終アクセス時間を更新し、前記ユーザに対応する前記ファイル別ファイルバッジを更新することを特徴とする請求項４に記載のフォルダ基盤のファイル管理装置。
【請求項６】
前記ファイルは、前記フォルダと関連したフォルダメモ帳であることができ、
前記フォルダメモ帳は、前記ユーザ端末のアクセス権限が確認されれば、前記ユーザ端末で前記フォルダと関連したメモ帳に実体化されることができ、修正追跡が可能なフォルダメモを含むことを特徴とする請求項１に記載のフォルダ基盤のファイル管理装置。
【請求項７】
前記プロセッサは
前記フォルダメモに対する前記更新履歴を検出してフォルダメモ修正履歴に反映し、
前記フォルダメモ修正履歴と前記ユーザ識別情報、及び前記ユーザ端末の前記フォルダメモ帳へのアクセス日時情報を利用して、
前記フォルダメモ帳に対する前記ファイルバッジを作成し、更新することを特徴とする請求項６に記載のフォルダ基盤のファイル管理装置。
【請求項８】
前記プロセッサは、
前記フォルダメモ帳が前記ファイルと関連して作成される場合、前記フォルダメモ帳の作成を前記ファイルに対する前記ファイル修正履歴に反映し、前記ファイルに対する前記ファイルバッジを更新することを特徴とする請求項６に記載のフォルダ基盤のファイル管理装置。
【請求項９】
前記ファイルは、前記フォルダと関連したフォルダチャットルームであることができ、
前記フォルダチャットルームは、前記ユーザ端末のアクセス権限が確認されれば、前記ユーザ端末で前記フォルダと関連したチャットルームに実体化されることができ、前記ユーザ端末から入力されたメッセージスレッドの一部または全部を表示することを特徴とする請求項１に記載のフォルダ基盤のファイル管理装置。
【発明の詳細な説明】
【技術分野】
【０００１】
本発明は、ファイル管理技術に関し、より詳細には、ユーザ別ファイル別ファイルバッジ（ｆｉｌｅ  ｂａｄｇｅ  ｐｅｒ  ｕｓｅｒ  ｐｅｒ  ｆｉｌｅ）の概念を適用して共有フォルダ内のファイルを管理することにより、他のユーザのファイル更新に関して直観的に知らせることができ、ユーザ利便性を改善したフォルダ基盤のファイル管理装置に関する。
【背景技術】
【０００２】
ファイル共有プログラムは、ユーザ達のファイルをサーバのユーザ勘定空間に格納して管理するアプリケーションで実現されることができ、ユーザにより要請されたファイルのアップロードまたはダウンロード機能を提供できる。ファイル共有プログラムを使用するユーザの数が増加するにつれて、様々なユーザ間のファイル共有過程を効率的に提供するための様々なファイル共有アプリケーションが開発されている。
【発明の概要】
【発明が解決しようとする課題】
【０００３】
本発明の一実施形態は、ユーザ別ファイル別ファイルバッジ（ｆｉｌｅ  ｂａｄｇｅ  ｐｅｒ  ｕｓｅｒ  ｐｅｒ  ｆｉｌｅ）及びユーザ別フォルダ別フォルダバッジ（ｆｏｌｄｅｒ  ｂａｄｇｅ  ｐｅｒ  ｕｓｅｒ  ｐｅｒ  ｆｏｌｄｅｒ）の概念を適用して共有フォルダ及び共有フォルダ内のファイルを管理することにより、他のユーザのファイル更新に関して直観的に知らせることができ、ユーザ利便性を改善したフォルダ基盤のファイル管理装置及び方法を提供しようとする。
【課題を解決するための手段】
【０００４】
本発明の一実施形態によれば、メモリ及び前記メモリと電気的に接続されたプロセッサを備え、前記プロセッサは、（ａ）ユーザ端末のフォルダへのアクセスを感知し、（ｂ）前記ユーザ端末のアクセスが許容された前記フォルダ内ファイルのファイル目録を提供し、（ｃ）前記ユーザ端末のアクセスが許容されたそれぞれの前記ファイルに対応するファイルバッジを提供し、ここで、前記ファイルバッジは、前記ユーザ端末によるアクセスが許容された前記ファイルがアップロードされるか、更新されてファイル更新履歴が発生した場合、前記ユーザ端末によってまだ読み出されていない前記ファイル更新履歴の個数を表すことを特徴とするフォルダ基盤のファイル管理装置が提供される。
【０００５】
本発明の他の実施形態によれば、メモリ及び前記メモリと電気的に接続されたプロセッサを備えるフォルダ基盤のファイル管理装置により行われるフォルダ基盤のファイル管理方法において、（ａ）ユーザ端末のフォルダへのアクセスを感知するステップと、（ｂ）前記ユーザ端末のアクセスが許容された前記フォルダ内ファイルのファイル目録を提供するステップと、（ｃ）前記ユーザ端末のアクセスが許容されたそれぞれの前記ファイルに対応するファイルバッジを提供するステップとを含み、ここで、前記ファイルバッジは、前記ユーザ端末によるアクセスが許容された前記ファイルがアップロードされるか、更新されてファイル更新履歴が発生した場合、前記ユーザ端末によってまだ読み出されていない前記ファイル更新履歴の個数を表すことを特徴とするフォルダ基盤のファイル管理方法が提供される。
【発明の効果】
【０００６】
開示された技術は、次の効果を有することができる。ただし、特定実施形態が次の効果を全て含むべきであるか、次の効果のみを含むべきであるという意味ではないので、開示された技術の権利範囲は、これによって制限されることと理解されてはならないであろう。
【０００７】
本発明の一実施形態に係るフォルダ基盤のファイル管理装置及び方法は、ユーザ別ファイル別ファイルバッジ（ｆｉｌｅ  ｂａｄｇｅ  ｐｅｒ  ｕｓｅｒ  ｐｅｒ  ｆｉｌｅ）及びユーザ別フォルダ別フォルダバッジ（ｆｏｌｄｅｒ  ｂａｄｇｅ  ｐｅｒ  ｕｓｅｒ  ｐｅｒ  ｆｏｌｄｅｒ）の概念を適用して共有フォルダ内のファイルを管理することにより、他のユーザのファイル更新に関して直観的に知らせることができる。
【０００８】
本発明の一実施形態に係るフォルダ基盤のファイル管理装置及び方法は、他のユーザのファイルに対する修正変更イベントを他のユーザに知らせ、ユーザ別に確認が完了したイベントであるか否かによってファイルバッジ値またはフォルダバッジ値を加減することで、リアルタイムにアップデートされる情報をユーザに提供し、ユーザの各自に合わせられたフォルダ及びファイル管理上の便宜を提供できる。
【図面の簡単な説明】
【０００９】
【図１】本発明の一実施形態に係るフォルダ基盤のファイル管理システムを説明する図。
【図２】図１にあるフォルダ基盤のファイル管理装置を示したブロック図。
【図３】図２に示されたプロセッサの機能要素を示したブロック図。
【図４】図３にあるファイルバッジ管理部３３０がファイルの更新履歴を時系列にベクトル化された順次的目録として管理する過程の一実施形態を示した図。
【図５】プロセッサ２１０が修正されたファイルを時系列にベクトル化された順次的目録として管理する過程の一実施形態を示した図。
【図６】本発明の実施形態に係るフォルダ基盤のファイル管理方法を示したフローチャート。
【図７】ユーザ端末がフォルダ基盤のファイル管理装置と連動して共有フォルダインターフェースを提供する過程の一実施形態を示した図。
【図８】ユーザ端末がフォルダ基盤のファイル管理装置と連動してユーザインターフェースを提供する過程の他の実施形態を示した図。
【図９】ユーザ端末がフォルダ基盤のファイル管理装置と連動してユーザインターフェースを提供する過程のさらに他の実施形態を示した図。
【発明を実施するための形態】
【００１０】
本発明に関する説明は、構造的ないし機能的説明のための実施形態に過ぎないので、本発明の権利範囲は、本文に説明された実施形態によって制限されることと解釈されてはならない。すなわち、実施形態は、様々な変更が可能であり、種々の形態を有することができるので、本発明の権利範囲は、技術的思想を実現できる均等物を含むものと理解されなければならない。また、本発明において提示された目的または効果は、特定実施形態がこれを全て含むべきであるか、そのような効果のみを含むべきであるという意味ではないので、本発明の権利範囲は、これによって制限されることと理解されてはならないであろう。
【００１１】
一方、本出願において述べられる用語の意味は、次のように理解されるべきであろう。
【００１２】
「第１」、「第２」などの用語は、１つの構成要素を他の構成要素から区別するためのものであって、これらの用語により権利範囲が限定されてはならない。例えば、第１構成要素は第２構成要素として命名されることができ、同様に、第２構成要素も第１構成要素として命名されることができる。
【００１３】
ある構成要素が他の構成要素に「接続されて」いると言及されたときには、その他の構成要素に直接的に接続されることもできるが、中間に他の構成要素が存在することもできると理解されるべきであろう。それに対し、ある構成要素が他の構成要素に「直接接続されて」いると言及されたときには、中間に他の構成要素が存在しないことと理解されるべきであろう。一方、構成要素等間の関係を説明する他の表現、すなわち、「〜間に」と「すぐ〜間に」または「〜に隣り合う」と「〜に直接隣り合う」なども同様に解釈されるべきである。
【００１４】
単数の表現は、文脈上明白に異なるように意味しない限り、複数の表現を含むことと理解されるべきであり、「含む」または「有する」などの用語は、実施された特徴、数字、ステップ、動作、構成要素、部分品、またはこれらを組み合わせたものが存在することを指定しようとするものであり、１つまたはそれ以上の他の特徴や数字、ステップ、動作、構成要素、部分品、またはこれらを組み合わせたものなどの存在または付加可能性を予め排除しないことと理解されるべきである。
【００１５】
各ステップにおいて識別符号（例えば、ａ、ｂ、ｃなど）は、説明の都合のために使用されるものであり、識別符号は、各ステップ等の順序を説明するものでなく、各ステップは、文脈上明白に特定順序を記載しない限り、明記された順序と異なるように起こることができる。すなわち、各ステップは、明記された順序と同様に起こることができ、実質的に同時に行われることもでき、逆の順序どおりに行われることもできる。
【００１６】
本発明は、コンピュータ読み取り可能な記録媒体にコンピュータ読み取り可能なコードとして実現されることができ、コンピュータ読み取り可能な記録媒体は、コンピュータシステムにより読み取られることができるデータが格納されるあらゆる種類の記録装置を含む。コンピュータ読み取り可能な記録媒体の例では、ＲＯＭ、ＲＡＭ、ＣＤ−ＲＯＭ、磁気テープ、フロッピーディスク、光データ格納装置などがある。また、コンピュータ読み取り可能な記録媒体は、ネットワークで接続されたコンピュータシステムに分散されて、分散方式でコンピュータ読み取り可能なコードが格納され、実行されることができる。
【００１７】
ここで使用される全ての用語は、異なるように定義されない限り、本発明の属する分野における通常の知識を有する者により一般的に理解されることと同様の意味を有する。一般的に使用される辞書に定義されている用語は、関連技術の文脈上有する意味と一致することと解釈されなければならず、本出願において明白に定義しない限り、理想的であるか、過度に形式的な意味を有することと解釈されることができない。
【００１８】
図１は、本発明の一実施形態に係るフォルダ基盤のファイル管理システムを説明する図である。
【００１９】
図１に示すように、フォルダ基盤のファイル管理システム１００は、フォルダ基盤のファイル管理装置１１０及びユーザ端末１２０を備える。
【００２０】
フォルダ基盤のファイル管理装置１１０は、少なくとも１つのユーザ端末１２０とネットワークを介して接続され得るコンピュータ装置に該当する。一実施形態において、フォルダ基盤のファイル管理装置１１０は、ユーザ端末１２０と関連したユーザが構成員として含まれる少なくとも１つの構成員グループを管理できる。一実施形態において、フォルダ基盤のファイル管理装置１１０は、ユーザ端末１２０に設けられた共有フォルダエージェントを介してユーザ端末１２０と接続されることができ、ここで、共有フォルダエージェントは、ユーザ端末１２０に設けられると、ユーザ端末１２０の承認下にユーザ端末１２０とフォルダ基盤のファイル管理装置１１０とが相互連動されるようにすることができるソフトウェアであるエージェントプログラムに該当する。
【００２１】
ユーザ端末１２０は、フォルダ基盤のファイル管理装置１１０とネットワークを介して接続されることができるコンピュータ装置に該当し、例えば、デスクトップ、ノートブック、タブレットＰＣ、またはスマートフォンで実現されたユーザ端末に該当し得る。
【００２２】
一実施形態において、第１のユーザ端末１２０ａは、モバイル端末に該当することができ、フォルダ基盤のファイル管理装置１１０とセルラー通信またはワイパイ通信を介して接続されることができる。他の一実施形態において、第２のユーザ端末１２０ｂは、デスクトップに該当することができ、フォルダ基盤のファイル管理装置１１０とインターネットを介して接続されることができる。
【００２３】
図２は、図１にあるフォルダ基盤のファイル管理装置を示したブロック図である。
【００２４】
図２に示すように、フォルダ基盤のファイル管理装置１１０は、プロセッサ２１０、メモリ２２０、ユーザ入出力部２３０、及びネットワーク入出力部２４０を備えることができる。
【００２５】
プロセッサ２１０は、図６にある共有フォルダファイル管理プロシージャを実行でき、このような過程で読み取られか、作成されるメモリ２２０を管理でき、メモリ２２０にある揮発性メモリと不揮発性メモリとの間の同期化時間をスケジュールできる。プロセッサ２１０は、フォルダ基盤のファイル管理装置１１０の動作全般を制御でき、メモリ２２０、ユーザ入出力部２３０、及びネットワーク入出力部２４０と電気的に接続されて、これらの間のデータフローを制御できる。プロセッサ２１０は、フォルダ基盤のファイル管理装置１１０のＣＰＵ（Ｃｅｎｔｒａｌ  Ｐｒｏｃｅｓｓｉｎｇ  Ｕｎｉｔ）で実現されることができる。
【００２６】
メモリ２２０は、ＳＳＤ（Ｓｏｌｉｄ  Ｓｔａｔｅ  Ｄｉｓｋ）またはＨＤＤ（Ｈａｒｄ  Ｄｉｓｋ  Ｄｒｉｖｅ）のような不揮発性メモリで実現されて、フォルダ基盤のファイル管理装置１１０に必要なデータ全般を格納するのに使用される補助記憶装置を含むことができ、ＲＡＭ（Ｒａｎｄｏｍ  Ａｃｃｅｓｓ  Ｍｅｍｏｒｙ）のような揮発性メモリで実現された主記憶装置を含むことができる。このように、メモリ２２０は、揮発性及び不揮発性メモリで実現されることができ、もし、不揮発性メモリで実現されれば、ハイパーリンクを介して接続されるように実現されることができる。
【００２７】
ユーザ入出力部２３０は、ユーザ入力を受信するための環境及びユーザに特定情報を出力するための環境を含み、例えば、マウス、トラックボール、タッチパッド、グラフィックタブレット、スキャナ、タッチスクリーン、キーボード、またはポインティング装置のようなアダプタを含む入力装置及びモニタまたはタッチスクリーンのようなアダプタを含む出力装置を備えることができる。一実施形態において、ユーザ入出力部２３０は、遠隔接続を介して接続されるコンピュータ装置に該当することができ、そのような場合、フォルダ基盤のファイル管理装置１１０は、サーバとして行われることができる。
【００２８】
ネットワーク入出力部２４０は、ネットワークを介してユーザ端末１２０と接続するための環境を含み、例えば、ＬＡＮ（Ｌｏｃａｌ  Ａｒｅａ  Ｎｅｔｗｏｒｋ）通信のためのアダプタを含むことができる。
【００２９】
図３は、図２に示されたプロセッサの機能要素を示したブロック図である。
【００３０】
図３に示すように、プロセッサ２１０は、フォルダアクセス管理部３１０、ファイル目録提供部３２０、ファイルバッジ管理部３３０、フォルダメモ帳管理部３４０、フォルダ管理部３５０、ファイル更新報知部３６０、業務客体管理部３７０、チャットルーム管理部３８０、及び制御部３９０を備えることができる。
【００３１】
ただし、本発明の実施形態に係るプロセッサが上記の構成部を同時に全て備えるべきものではなく、それぞれの実施形態によって上記の構成部のうち、一部は省略されることができ、上記の構成部のうち、一部または全部を選択的に備えることができる。
【００３２】
ユーザ端末１２０がフォルダにアクセスするか、アクセスを試みると、フォルダアクセス管理部３１０は、ユーザ端末１２０のアクセスを受信する。より具体的に、フォルダアクセス管理部３１０は、ユーザ端末１２０から特定フォルダに関するアクセス要請を受信でき、当該ユーザのアクセス権限を確認して、当該アクセスを許容するか否かを決定できる。
【００３３】
ここで、フォルダアクセス管理部３１０は、ユーザ端末１２０と関連したユーザ情報またはユーザ端末の識別情報等を取得して、当該ユーザ端末１２０のフォルダへのアクセス権限を確認できる。フォルダアクセス管理部３１０は、当該ユーザまたは当該ユーザ端末が当該フォルダにアクセスする権限があるものと確認される場合にのみアクセスを許容することができる。一実施形態において、フォルダへのアクセス権限有無は、フォルダが作成されるとき、フォルダ作成者によるユーザ招待を介して決定されることができる。すなわち、フォルダ作成者が当該フォルダに招待したユーザに限って当該フォルダへのアクセス権限を有するようになる。
【００３４】
フォルダアクセス管理部３１０は、フォルダユーザの要請に基づいて、当該フォルダ内にファイルやサブフォルダを追加、修正、または削除する管理を行うことができ、ここで、ファイルは、ユーザ端末１２０から送信された文書ファイルやマルチメディアファイルのような一般的なユーザファイルを含むことができる。
【００３５】
ファイル目録提供部３２０は、フォルダにあるファイル目録（ｆｉｌｅ  ｌｉｓｔ）とファイル別ファイルバッジ（ｆｉｌｅ  ｂａｄｇｅ  ｐｅｒ  ｕｓｅｒ  ｐｅｒ  ｆｉｌｅ）を各ユーザ別に提供することができる。ファイル目録提供部３２０は、フォルダにあるファイル目録を提供する。
【００３６】
ここで、ファイルは、フォルダに格納されているか、フォルダを介してアクセス可能な文書、静止画像、動画像、表、音声データなど、あらゆる形態の客体を全て含むことができる。また、ここで、ファイルは、当該フォルダに関連したメモであるフォルダメモ、そして、当該フォルダ内に格納されているか、当該フォルダを介してアクセス可能であるか、当該フォルダまたは当該フォルダ内ファイルに関連した業務客体、業務客体が関連したファイルなどを全て含むことができる。特に、フォルダメモに対するファイルバッジは、ファイルバッジまたはフォルダメモバッジと呼ばれることができる。そして、業務客体が関連したファイルの場合、業務客体に発生された更新履歴は、その関連したファイルのファイルバッジにも反映されることができる。
【００３７】
したがって、一実施形態において、ファイル目録提供部３２０は、ファイル目録の提供過程で当該フォルダと関連した１つ以上のフォルダメモ帳の各々に関する当該ユーザのフォルダメモバッジ及び当該フォルダ内ファイルに関する当該ユーザのファイルバッジをユーザ端末１２０に提供し、ユーザ端末１２０がこれを視覚化させるようにすることができる。
【００３８】
そして、一実施形態において、ファイル目録提供部３２０は、フォルダアクセス管理部３１０を介してユーザ端末１２０の当該フォルダに対するアクセスが許容されれば、当該フォルダにあるファイルとサブフォルダに関するメタデータ及び当該ファイルやサブフォルダに対するアクセス経路が含まれたファイル目録をユーザ端末１２０に提供することができる。
【００３９】
より具体的に、ファイル目録提供部３２０は、フォルダアクセス管理部３１０を介してユーザ端末１２０の当該フォルダに対するアクセスが許容されれば、ｉ）当該フォルダにあるファイル及びサブフォルダに関するメタデータが含まれたファイル目録と、ｉｉ）当該フォルダにある少なくとも１つのファイルの各々に関し、当該フォルダに参加するフォルダユーザ別に行われた修正情報を含むユーザ別ファイル別ファイルバッジをユーザ端末１２０に提供することができる。
【００４０】
ファイルバッジは、特定ファイルのアップロード及び／又は修正、追加、変更、更新などの一体のイベントを含む更新履歴が生じた場合、当該ファイルに対するこれらの更新履歴の累積個数を表す。ところが、上述したイベント等による更新履歴の単純累積個数でない、特定ユーザが確認しなかった更新履歴等の累積個数を表すものが本発明の実施形態に係るファイルバッジ値である。すなわち、本発明の実施形態においてファイルバッジは、特定ユーザに対する特定ファイルの新しいアップロードから修正、変更などを含むファイル更新履歴等のうち、当該特定ユーザの未確認更新履歴の個数を表すことができる。
【００４１】
したがって、ファイルバッジは、ファイル別にも異なるように記録されることはもちろん、ユーザ別にも別にカウントされ、記録され、可視化される。複数のユーザがフォルダ共有に参加する場合、各ユーザが読み出すか、読み出していないファイル及び各ファイル等の更新履歴は全て相違するためである。ファイルバッジは、特定ユーザの１人が特定ファイルに対して今後読み出し及び確認が要求される事項を定量化して表示する指標でありうる。
【００４２】
例えば、ユーザ別ファイル別ファイルバッジは、フォルダ内にファイル１とファイル２があり、フォルダユーザであるユーザＡとユーザＢがある場合を仮定すれば、ファイル１及びファイル２の各々に関する修正、更新情報と、これに対するユーザＡ及びユーザＢのそれぞれのファイル１及びファイル２に対する読み出し情報を含むことができる。
【００４３】
すなわち、ユーザＡがアクセス可能なファイルとしてファイル１がアップロードされれば、ファイル１のファイルバッジ値は１となる。そして、ユーザＡがアップロードされたファイル１にアクセスしてこれを読み出すと、ファイルバッジ値は０となる。その後、権限のあるユーザであるユーザＢまたはユーザＣがファイル１に対して修正や変更、メモ追加などのファイル更新行為を加えることにより、ｎ個のファイル更新履歴が発生すれば、ユーザＡがこれを確認する前までは、ユーザＡに可視化されるファイル１のファイルバッジ値はｎとなる。そして、その後、ユーザＡがファイル１を開けて読み出すことにより、ｎ個のファイル更新履歴を全て確認すれば、ユーザＡに可視化されるファイル１のファイルバッジ値は再度０となる。
【００４４】
ファイルバッジ管理部３３０は、任意のユーザ端末１２０によるファイルの修正を検出し、ユーザ独立的なファイル別ファイル修正履歴を更新できる。ここで、ユーザ独立的なファイル別ファイル修正履歴は、各ファイルに対するユーザ達のファイル修正結果を含む。例えば、ユーザのホン・ギルドン（Hong Gil Dong）がフォルダ内のファイルＡを修正すれば、当該フォルダに参加する全てのフォルダユーザに影響を及ぼすようになり、ファイル別ファイル修正履歴がユーザ独立的に更新されるようになる。
【００４５】
ファイルバッジ管理部３３０は、ファイル別ファイル修正履歴の更新過程で現在から過去の特定区間の間または特定個数だけのファイル修正によるファイル修正日付をファイル別ファイル修正履歴に累積することができる。例えば、ファイルバッジ管理部３３０は、ファイル１に対して複数回で発生されるファイル修正日付ａ、ｂ、ｃ、及びｄをファイル別ファイル修正履歴に順次累積することができ、現在時点を基準に過去１年または３ヶ月の間に発生されるか、最大１００回までのファイル修正を反映できる。
【００４６】
一実施形態において、ファイルバッジ管理部３３０は、前記過程で下記の数式１に基づいて特定個数を決定し、当該決定された特定個数だけのファイル修正によるファイル修正日付をファイル別ファイル修正履歴に累積することができる。例えば、ファイルバッジ管理部３３０は、ｍａｖ１とｍａｖ２が各々２．６と１．４に検出され、ｎ０が５０に設定された場合を仮定すれば、下記の数式１によって、ｎを９３に算出して、当該算出されたｎをファイル修正日付の累積のための特定個数と決定することができる。
【００４７】
【数１】
2019083014.tif 000003
【００４８】
ここで、ｍａｖ１は、当該フォルダの全てのファイルに対して最近の第１の特定区間の間（例えば、最近一週間）、一日に平均発生された修正回数を表し、ｍａｖ２は、当該フォルダの全てのファイルで最近の第２の特定区間の間（例えば、最近３ヶ月間）、一日に平均発生された修正回数を表す。そして、ここで、第２の特定区間は、第１の特定区間より長い時間区間を意味する。また、ここで、ｎ０は、基準累積個数（例えば、１００）を表し、ユーザまたは設計者により設定されることができ、
2019083014.tif 000004
は、内部の値に対して整数で四捨五入演算を行う演算を意味する。
【００４９】
ファイルバッジ管理部３３０は、ファイル別ファイル修正履歴の更新過程でファイルの修正が検出されれば、当該ユーザ端末１２０のユーザ情報を当該ファイル修正日付とともにファイル別ファイル修正履歴に反映することができる。例えば、ファイルバッジ管理部３３０は、ファイル１に対してファイル修正が発生される度に当該ファイル修正日付と当該修正を行ったユーザを共にファイル別ファイル修正履歴に累積することができる。
【００５０】
ファイルバッジ管理部３３０は、ユーザ別ファイル別ファイルバッジの提供過程でユーザ情報と関連した当該ユーザのファイル別ファイルアクセス時間とファイル別ファイル修正履歴とに基づいて、当該ユーザのファイル別ファイルバッジを作成できる。
【００５１】
例えば、ファイルバッジ管理部３３０は、ユーザＡのアクセスが許容されたフォルダ１にあるファイル１とファイル２の各々に関するファイル修正履歴からファイル１のファイル修正日付２０１７．１０．２１  １２：０８：５１、２０１７．１０．２４  １０：３２：０８、及び２０１７．１０．２５  １８：１３：０７を確認できる。当該ユーザＡがファイル１に最も最後にアクセスした日時が２０１７．１０．２２  １３：３５：０５と確認されれば、ファイルバッジ管理部３３０は、２０１７．１０．２４  １０：３２：０８と２０１７．１０．２５  １８：１３：０７に発生されたファイル修正をカウントして、当該ユーザＡの当該ファイル１に関するファイルバッジを２に算出することができる。
【００５２】
すなわち、特定ファイルが修正された合計回数のうち、特定ユーザが確認または読み出した修正事項を除いた、残りの未確認修正事項に対する個数をカウントすれば、その結果値が当該ユーザに見られる当該ファイルのファイルバッジの値となる。このために、一実施形態によれば、ファイルの修正時点と当該ユーザが当該ファイルに最も最近にアクセスした時点とを比較し、当該ユーザが最終的に当該ファイルにアクセスした時点以後に累積された修正回数をファイルバッジ値で反映することができる。
【００５３】
ファイルバッジ管理部３３０は、ユーザ別ファイル別ファイルバッジをユーザ端末１２０に提供して、ユーザ端末１２０が当該フォルダに関するファイル目録を表す過程で当該フォルダにある少なくとも１つのファイルの各々に関するファイルバッジを共に可視化させるようにすることができる。
【００５４】
ファイルバッジ管理部３３０は、ユーザ端末１２０によるファイルの読み出しを検出して、当該ユーザの当該ファイルに関するバッジを更新する。一実施形態において、ファイルバッジ管理部３３０は、当該ユーザによる特定ファイルのアクセスを検出してファイル別ファイルアクセス時間を更新し、前記当該ユーザのファイル別ファイルバッジを更新できる。
【００５５】
例えば、ファイルバッジ管理部３３０は、ユーザ［チェ・ジェホ（Ｃhoi Jae Ho］のユーザ端末１２０が当該ファイル目録にあり、ファイルバッジ［３］である［フィルタ品質確保方案］をオープンしたりダウンロードすれば、ユーザ別ファイル別ファイルバッジのうち、当該ファイルのファイルバッジを［３］から［０］に更新することができる。
【００５６】
ファイルバッジ管理部３３０は、当該ユーザのファイル別ファイルアクセス時間とファイル別ファイル修正履歴とに基づいて、当該ユーザの当該フォルダ及び当該下位フォルダに対するファイル別ファイルバッジを累積演算して、当該フォルダにあるファイルバッジ累積カウントに反映することができる。例えば、ファイルバッジ管理部３３０は、上述したように、ユーザ［チェ・ジェホ］のファイル別ファイルアクセス時間とファイル別ファイル修正履歴とに基づいて、ファイル別ファイルバッジを作成できる。
【００５７】
一実施形態において、ファイルバッジ管理部３３０は、フォルダメモ帳があるならば、一般ファイルに関するファイルバッジとフォルダメモ帳に関するファイルバッジとを各々分離して管理することができる。ファイルバッジ管理部３３０は、フォルダメモ帳に関するファイルバッジが分離管理されるユーザ別ファイル別ファイルバッジをユーザ端末１２０に提供して、ユーザ端末１２０が各々を別に表示させるようにすることができる。
【００５８】
例えば、ユーザ端末１２０は、受信されたユーザ別ファイル別ファイルバッジに基づいて、一般ファイルに関してはファイル目録の第１のファイルバッジ累積カウントシンボルを介して、当該ユーザの当該ファイルに関するファイルバッジを表示して、当該更新回数を表すことができ、フォルダメモ帳に関しては、ファイル目録の第２のファイルバッジ累積カウントシンボルを介して、当該ユーザのアクセス権限のあるフォルダメモ帳に関するファイルバッジを表示して、当該更新回数を表すことができる。
【００５９】
そして、ここでプロセッサ２１０は、関連ファイル修正履歴管理部（図示せず）をさらに備えることができる。関連ファイル修正履歴管理部は、フォルダメモ帳に特定ファイルに対する関連リンクが作成されれば、当該時点以後に発生される任意のユーザ端末１２０による当該特定ファイルの修正を検出し、当該特定ファイルに関するユーザ独立的なファイル修正履歴を更新できる。
【００６０】
例えば、関連ファイル修正履歴管理部は、フォルダメモ帳１にファイル１に関する関連リンクが作成されれば、ファイル１に関するユーザ独立的なファイル修正履歴を作成し、当該ファイルに対する修正が検出される度に、当該修正日時、ファイル修正者、及び修正コンテンツを当該ファイル修正履歴に追加することができる。
【００６１】
一実施形態において、関連ファイル修正履歴管理部は、当該ファイル修正履歴のファイル修正追跡コンテナに修正前後のファイルを複製して修正コンテンツを追跡できる。
【００６２】
一実施形態において、関連ファイル修正履歴管理部は、関連リンクの作成時点で当該特定ファイルの原本にアクセスするための関連リンクをフォルダメモ帳に含め、当該特定ファイルの原本に基づいて当該特定ファイルの修正を検出し、当該ファイル修正履歴に反映することができる。このような場合、フォルダメモ帳に関連リンクされた特定ファイルは当該フォルダにあり、現在時点を基準に最近修正が反映される原本ファイルに該当する。  他の一実施形態において、関連ファイル修正履歴管理部は、関連リンクの作成時点で当該特定ファイルのファイル複写本をフォルダメモ帳に含め、当該特定ファイルの複写本に基づいて当該特定ファイルの修正を検出し、当該ファイル修正履歴に反映することができる。このような場合、フォルダメモ帳に関連リンクされた特定ファイルは、関連時点を基準に複写された複写本ファイルに該当し、関連時点以後の原本ファイルに対する最近修正が反映されない。
【００６３】
関連ファイル修正履歴管理部は、フォルダメモ帳と関連した特定ファイルに関するユーザ独立的なファイル修正履歴に基づいて、ユーザ別未確認更新回数を表すユーザ別ファイルバッジを作成できる。一実施形態において、関連ファイル修正履歴管理部は、当該特定ファイルに関するタイムスタンプを当該特定ファイルに関するユーザ独立的なファイル修正履歴を介して管理することができ、当該ユーザによる当該特定ファイルのアクセスを検出して、当該ファイル修正履歴に当該ユーザの最も最近のアクセス日時を更新し、当該ユーザのファイルバッジを更新できる。
【００６４】
関連ファイル修正履歴管理部は、リアルタイムにフォルダユーザ別に当該特定ファイルに対するアクセスや修正が検出される度に、ファイル修正履歴のユーザ別タイムスタンプと、これから算出されるユーザ別ファイルバッジを直ちに更新でき、当該ユーザのフォルダ及び当該下位フォルダにある関連ファイルに対するファイルバッジを累積演算して、当該フォルダにある関連ファイルバッジ累積カウントに反映することができる。
【００６５】
関連ファイル修正履歴管理部は、フォルダメモ帳と関連した特定ファイルに関するユーザ独立的なファイル修正履歴に基づいて、ファイルバッジが基準値を超過するユーザ情報を検出して、当該ユーザと関連したユーザ端末１２０に当該特定ファイルの閲覧を推奨することができる。
【００６６】
一実施形態において、関連ファイル修正履歴管理部は、ファイル修正履歴の更新過程で予め設定された基準値（例えば、１０）を超過するファイルバッジが検出されれば、当該ユーザの最後のアクセス日付以後に、当該特定ファイルを修正した他のユーザ達の名前やＩＤを持ってきて、当該ファイルバッジ及び当該ファイルにアクセスするためのアクセス経路とともに、当該ユーザのユーザ端末１２０に当該特定ファイルの閲覧を推奨する閲覧推奨メッセージとして提供することができる。
【００６７】
フォルダメモ帳管理部３４０は、ファイル目録及びユーザ別ファイル別ファイルバッジ提供過程でフォルダメモ帳を提供できる。ここで、フォルダメモ帳は、フォルダに関連するメモ帳であって、フォルダと関係のある内容に対する記録と共有機能を支援する。フォルダメモ帳は、少なくとも１つのフォルダユーザ間に共有され、フォルダ内の特定ファイルに対する関連リンクを含むことができ、当該メモ内容に対する修正追跡が可能である。
【００６８】
本発明の実施形態においてフォルダメモ帳もファイルの１つであって、ファイル目録に含まれるか、または別に表示されることができる。そして、フォルダメモ帳もファイルの１つであって、フォルダメモ帳に対する修正事項または更新履歴に関する情報は、フォルダメモ帳に対するファイルバッジを介してユーザ端末１２０に提供されることができる。ただし、説明と理解の便宜のために、フォルダメモ帳に対するファイルバッジは、フォルダメモバッジと呼ばれることもできる。
【００６９】
そして、フォルダメモ帳管理部３４０は、フォルダと関連したフォルダメモ帳に関するユーザ端末１２０のアクセス権限を確認してフォルダメモ帳を提供する。より具体的に、フォルダメモ帳管理部３４０は、当該フォルダに対するアクセス権限のある少なくとも１人のフォルダユーザにより作成、修正、または削除されることができ、フォルダメモに含まれたメモコンテンツの修正に関して追跡可能なフォルダメモ帳を提供できる。
【００７０】
フォルダメモ帳管理部３４０は、フォルダがフォルダ作成者により作成されるとき、フォルダメモ帳を作成し、当該フォルダ作成者によるユーザ指定を介して当該フォルダメモ帳に参加する少なくとも１人のメモ参加者を決定できる。ここで、少なくとも共有メモ参加者の各々は、当該フォルダのフォルダユーザに該当することができる。
【００７１】
そして、一実施形態において、フォルダメモ帳管理部３４０は、ユーザ指定に含まれた閲覧権限者及び修正権限者に関するユーザ指定情報に基づいて、少なくとも１人のメモ参加者の各々に当該フォルダメモ帳を閲覧できる閲覧権限（例えば、読み取り専用）または修正できる修正権限（例えば、読み取り／書き込み可能）を選別的に付与できる。
【００７２】
フォルダメモ帳管理部３４０は、ユーザ端末１２０のアクセス権限を確認して、当該ユーザのアクセスが許容されたフォルダメモ帳を選別し、選別されたフォルダメモ帳に関する情報と、これに関するアクセス経路を含むフォルダメモ帳目録をユーザ端末１２０に提供することができる。
【００７３】
ファイルと関連したフォルダメモ帳の場合には、フォルダメモ帳の更新イベントは関連したファイルのファイルバッジ値に反映されることができる。そして、フォルダメモ帳管理部３４０は、フォルダメモ帳が特定ファイルと関連して作成される場合、フォルダメモ帳の作成を当該ファイルに対するファイル修正履歴に反映し、当該ファイルに対するファイルバッジを更新できる。
【００７４】
フォルダメモ帳管理部３４０は、ファイルバッジ管理部３３０とともに、フォルダメモ及びフォルダメモに対する更新履歴と、その具体的な内容を時系列にベクトル化された順次的目録として管理することができる。
【００７５】
フォルダメモ帳管理部３４０は、フォルダメモ帳の修正、変更などの更新履歴が検出される度に、当該修正を行ったユーザのユーザ情報を当該修正日時とともに管理することができ、追跡されたメモコンテンツを提供する過程で当該メモ修正者のユーザ情報を共に提供して、互いに異なるユーザにより修正されたメモコンテンツの場合には、ユーザ端末１２０が互いに異なる色相、フォント、または大きさで表示させるようにすることができる。
【００７６】
さらに他の一実施形態において、フォルダメモ帳管理部３４０は、任意のユーザ端末１２０によるフォルダメモ帳に対する修正が発生されれば、修正前ファイルと修正後ファイルとを各々格納して管理することができ、現在から過去の特定区間の間または特定個数だけのファイル修正によるファイルを管理できる。
【００７７】
フォルダメモ帳管理部３４０は、ユーザ端末１２０がフォルダメモ帳と更新履歴を読み出した事実を感知または検出すれば、当該ユーザの当該フォルダメモ帳に関する最も最近のアクセス日時以後に作成された修正後ファイルを検索し、当該修正後ファイルと当該修正直前の修正前ファイルとの間のコンテンツ差を比較演算して、修正されたメモコンテンツを追跡することもできる。
【００７８】
そして、フォルダメモ帳管理部３４０は、次のような実施形態等によってフォルダメモ帳に含まれたフォルダメモの修正を追跡できる。
【００７９】
一実施形態によれば、フォルダメモ帳管理部３４０は、フォルダメモを時系列にベクトル化された順次的目録として管理してフォルダメモの修正を追跡できる。
【００８０】
フォルダメモ帳管理部３４０は、フォルダメモ帳の各々に関する当該ユーザのファイルバッジをユーザ端末１２０に提供して、ユーザ端末１２０が当該フォルダに関するファイル目録を表す過程で当該フォルダにある少なくとも１つのフォルダメモ帳の各々に関するファイルバッジ、すなわち、フォルダメモバッジを共に表すようにすることができる。
【００８１】
フォルダメモ帳管理部３４０は、当該ユーザによるフォルダメモ帳のアクセスを検出して、当該フォルダメモ修正履歴に当該ユーザの最も最近のアクセス日時を更新し、当該ユーザのフォルダメモバッジを更新できる。フォルダメモ帳管理部３４０は、リアルタイムにメモ参加者別に各フォルダメモ帳に対するアクセスや修正が検出される度に、フォルダメモ修正履歴のユーザ別タイムスタンプと、これから算出されるユーザ別ファイルバッジを直ちに更新できる。
【００８２】
フォルダメモ帳管理部３４０は、当該ユーザのフォルダ及び当該下位フォルダに対するフォルダメモバッジを累積演算して、当該フォルダにあるフォルダメモバッジ累積カウントに反映することができ、一実施形態において、当該ユーザと関連して当該フォルダまたは当該下位サブフォルダと関連した全てのフォルダメモ帳のフォルダメモバッジの値を合算し、当該フォルダ全体に関するユーザの未確認全体更新回数を表すフォルダメモバッジ累積カウントとして提供することができる。
【００８３】
フォルダ管理部３５０は、フォルダを作成し、管理することができる。より具体的に、フォルダ管理部３５０は、ユーザの要請に基づいて、フォルダ内にファイル及びサブフォルダのうち、少なくとも１つを作成及び管理することができる。ここで、ファイルは、ユーザ端末１２０から送信された文書ファイルやマルチメディアファイルのような一般的なユーザファイルを含む。
【００８４】
一実施形態において、フォルダ管理部３５０は、ユーザ端末１２０からフォルダ作成要請が受信されれば、当該ユーザ端末１２０と関連したユーザがフォルダ作成者に指定された特定フォルダを作成でき、フォルダ作成者による共有者招待を介して当該フォルダに参加する少なくとも１人のフォルダ参加者を決定できる。一実施形態において、フォルダ管理部３５０は、フォルダがフォルダ作成者により作成されれば、当該フォルダ作成者にフォルダ削除権限が含まれたフォルダ作成者のアクセス権限を付与でき、フォルダ参加者の各々にフォルダ削除権限が除かれたフォルダ共有者のアクセス権限を付与できる。
【００８５】
ファイル更新報知部３６０は、任意のユーザ端末１２０がファイルを修正、変更することにより、フォルダ内ファイルに対する更新履歴が新しく作成されれば、少なくとも１人のフォルダユーザの各々に対応するユーザ端末１２０に当該ファイルの更新が発生したことを知らせることができる。
【００８６】
より具体的に、例えば、フォルダメモ帳のアクセス権限のあるフォルダユーザのうちの１つにより当該フォルダ内ファイルなどが修正され得る。この場合、ファイル更新報知部３６０は、ファイルバッジ管理部３３０などのファイルバッジ値算出及びファイルバッジ更新とは別個に、当該フォルダ内ファイルに対する更新履歴が新しく発生したことを知らせる報知メッセージを直ちに提供することができる。ここで、報知メッセージは、当該メモ修正者を除いた、残りのフォルダ参加者の各々に対応するユーザ端末１２０に送信されることができる。
【００８７】
一実施形態において、ファイル更新報知部３６０は、任意のユーザ端末１２０により特定ファイルの修正が発生されれば、少なくとも１人のフォルダユーザの各々と関連したユーザ端末１２０に当該ファイルの更新を知らせることができる。上記と同様に、ファイル更新報知部３６０は、特定フォルダにアクセス権限のあるフォルダユーザのうちの１つにより当該フォルダ内の特定ファイルが修正されれば、当該ファイルを修正したユーザを除いた、残りのフォルダ参加者の各々と関連したユーザ端末１２０に当該ファイルの更新に関する報知メッセージを直ちに提供することができる。
【００８８】
業務客体管理部３７０は、任意のユーザ端末１２０から業務指示者、業務内容、及び業務処理者を含み、業務処理者によりフィードバックされ得る業務を受信して業務客体を追加できる。
【００８９】
より具体的に、業務客体管理部３７０は、業務指示者に該当するユーザ端末１２０から当該業務指示者により作成された業務指示内容、業務処理者、業務評点、及び締め切り期間のうち、少なくとも１つに関する情報を含む業務を受信できる。そして、業務客体管理部３７０は、当該業務の業務指示者、業務処理者、業務指示内容、業務処理内容、業務評点、及び締め切り期間のうち、少なくとも１つに関する情報を含んでカプセル化された客体である業務客体を作成でき、当該業務客体をフォルダ、ファイル、またはフォルダメモ帳などに関連させることができる。
【００９０】
そして、業務客体の作成に必要な情報は、チャットルーム、フォルダメモ帳などを介して受信することができ、したがって、このような場合、業務客体は、チャットルームまたはフォルダメモ帳などを介して作成されることもできる。
【００９１】
業務客体管理部３７０は、業務客体を当該フォルダ業務またはフォルダメモ帳に参加したり、フォルダ及びフォルダ内ファイルを共有する１つ以上のユーザにより直接的にアクセスされることができる。そして、業務客体は、テキストメッセージまたはマルチメディアメッセージと区別される独立的な業務客体メッセージとしてフォルダ内に格納されるか、フォルダまたはフォルダ内ファイルに関連することができる。また、業務客体は、フォルダメモ帳または業務チャットルームに追加されるか、関連することができる。
【００９２】
ここで、業務処理者は、当該業務指示者により当該業務を処理する主体でとして指定されたユーザであって、フォルダ共有者またはフォルダ参加者のうちの１つでありうる。そして、業務評点は、当該業務が完了すれば、当該業務指示者により評価され得る評価点数の最大上限を意味する評価予約点数と、実際に評価された点数を意味する評価点数とを含むことができる。これにより、業務指示者は、業務処理者にフォルダを介して簡便に業務を指示し、業務進行経過を共有することができる。
【００９３】
または、実施形態によって、フォルダメモ帳または業務チャットルームを介して業務客体を作成する場合、業務指示者は、フォルダメモ帳または業務チャットルームの参加者達間に共有されるフォルダメモ帳や業務チャットルームを介して業務客体を共有できる。そして、業務指示者は、当該業務客体をフォルダメモ帳または業務チャットルーム内で業務処理者に伝達することにより、簡便に業務を指示し、業務経過の報告を受け、評価することができる。
【００９４】
業務客体管理部３７０は、処理段階別の進行状態を表す業務進行状態を含む業務客体の進行を行うことができ、業務処理者によるフィードバックに基づいてこのような進行を行って業務客体を更新できる。一実施形態において、業務客体管理部３７０は、業務指示者と業務処理者のうち、一方による要請と他方による応答を反映して、処理段階別の業務進行状態を定義した業務処理ダイヤグラム上で予め決定された業務進行状態を更新し、当該フォルダメモ帳にある業務客体を更新できる。
【００９５】
例えば、業務進行状態は、業務客体が新しく作成された状態を表す「新しい」、業務処理者が当該業務客体を処理中の状態を表す「する途中」、業務処理者が業務客体を完了した状態であって、業務指示者から業務完了に対するインタラクションを待つ状態を表す「終わった」、及び業務指示者が業務処理者の完了した業務客体を確認した状態を表す「確認」を含むことができる。
【００９６】
業務客体管理部３７０は、業務指示者と業務処理者との間の応答関係で実現される業務客体関連応答を介して、当該業務客体の業務進行状態を更新する方式で業務客体の進行を行うことができる。ここで、業務客体関連応答は、業務指示者または業務処理者と関連したユーザ端末１２０により応答されることができる業務客体に関する応答に該当する。そして、一実施形態において、当該業務客体の現在業務処理状態によって業務確認応答、業務完了応答、及び業務評価応答のうち、少なくとも１つを含むことができる。
【００９７】
例えば、業務客体管理部３７０は、業務進行状態が「新しい」状態に該当する業務客体に関して業務処理者に該当するユーザから業務インタラクションを受信すれば、当該業務進行状態を次の進行状態である「する途中」状態に更新することができる。
【００９８】
一実施形態において、業務客体管理部３７０は、共有フォルダエージェントにある業務客体に関する制御インターフェースを介して業務指示者または業務処理者と関連したユーザ端末１２０から業務関連応答を受信でき、業務客体関連応答が受信されれば、現在業務処理状態を決定し、当該メッセージスレッドを更新できる。
【００９９】
業務客体管理部３７０は、業務客体の進行を行い、最終的に業務指示者から当該業務客体に関する評価を受信して、当該業務客体の業務評点として付与することができる。
【０１００】
業務客体管理部３７０は、業務客体と関連し、当該業務進行状態が完了するまで特定繰返し基準によって当該業務進行状態の完了を要請するリマインドメッセージを当該業務処理者または業務指示者と関連したユーザ端末１２０に報知メッセージとして提供することができる。一実施形態において、特定繰返し基準は、業務指示者により指定された締め切り期間または業務重要度に基づいて、業務進行状態別に決定されることができる。
【０１０１】
ファイルバッジ管理部３３０または業務客体管理部３７０は、業務客体または当該業務客体が関連したファイル客体に関するファイル修正履歴に基づいて、当該ユーザの未確認更新回数を表すファイルバッジを作成できる。
【０１０２】
ファイルバッジ管理部３３０または業務客体管理部３７０は、業務客体と関連したファイル客体の各々に関する当該ユーザのファイルバッジをユーザ端末１２０に提供して、ユーザ端末１２０が当該フォルダに関するファイル目録と業務客体目録を表す過程で当該フォルダにあるファイル客体のうち、業務客体と関連したファイル客体の各々に関するファイルバッジを共に表すようにすることができる。ファイルバッジ管理部３３０または業務客体管理部３７０は、当該ユーザにより当該ファイル客体のアクセスを検出して、当該ファイル修正履歴に当該ユーザの最も最近のアクセス日時を更新し、当該ユーザのファイルバッジを更新できる。
【０１０３】
ファイルバッジ管理部３３０または業務客体管理部３７０は、ファイル客体に関するユーザ別ファイルバッジのうち、基準バッジを超過するファイルバッジと関連したユーザを検出して、当該ユーザのログインが行われるとき、当該特定ファイル客体の更新を通知し、当該特定ファイル客体のアクセスリンクを提供して、当該アクセスリンクを介しての更新内容の確認を推奨できる。一実施形態において、ファイルバッジ管理部３３０または業務客体管理部３７０は、ファイル修正履歴で予め設定された基準バッジ値（例えば、１０）を超過するファイルバッジが検出されれば、当該検出されたユーザの最後のアクセス日付以後に当該特定ファイルを修正した他のユーザ達の名前、当該ファイルバッジ及び当該ファイル客体にアクセスするためのアクセス経路とともに検出されたユーザのユーザ端末１２０に当該特定ファイルの閲覧を推奨する閲覧推奨メッセージとして提供することができる。
【０１０４】
一実施形態において、ファイルバッジ管理部３３０または業務客体管理部３７０は、下記の数式２に基づいて前記基準バッジ値を決定でき、下記においてｓは、前記基準バッジ値を意味し、ｈは、１以上５以下の自然数であって、当該フォルダの階層指数を意味し、高いほど、上位フォルダに該当することを表し、当該フォルダ構造に基づいて予め設計者やユーザによりフォルダ別に設定されることができ、ｓ０は、自然数であって、設計者やユーザにより設定されることができる初期値を意味し、ｕｎは、当該関連したファイル客体にアクセス可能なユーザの数を意味し、ｒｏｕｎｄ（  ）は、内部の値に対して少数点以下に四捨五入演算を取って自然数を出力するラウンド関数を表す。
【０１０５】
【数２】
2019083014.tif 000005
【０１０６】
フォルダチャットルーム管理部３８０は、ファイル目録及びユーザ別ファイル別ファイルバッジ提供過程でフォルダチャットルームを提供できる。ここで、フォルダチャットルームは、フォルダに関連するチャットルームであって、フォルダと関係のある内容に対するユーザ間のメッセンジャー対話を支援する。したがって、ユーザ達は、フォルダチャットルームを介して対話のためのメッセージスレッドを入力し、他のユーザにより入力されたメッセージスレッドをリアルタイムに確認することができる。
【０１０７】
少なくとも１つ以上のフォルダユーザがフォルダチャットルームを共有し、フォルダチャットルームに参加することができる。そして、フォルダチャットルームは、フォルダ内の特定ファイルに関連して作成されることができ、フォルダ内の特定ファイルに対する関連リンクを含むこともできる。
【０１０８】
本発明の実施形態においてフォルダチャットルームもファイルの一種であって、ファイル目録に含まれたり、または別に表示されることができる。そして、フォルダチャットルームがファイルの１つであるから、フォルダチャットルームに対する修正事項または更新履歴に関する情報は、フォルダチャットルームに対するファイルバッジを介してユーザ端末１２０に提供されることができる。ただし、説明と理解の便宜のために、フォルダチャットルームに対するファイルバッジは、フォルダチャットルームバッジと呼ばれることもできる。
【０１０９】
そして、フォルダチャットルーム管理部３８０は、フォルダと関連したフォルダチャットルームに関するユーザ端末１２０のアクセス権限を確認し、アクセス権限が確認されたユーザ端末１２０にのみフォルダチャットルームを提供できる。すなわち、フォルダチャットルーム管理部３８０は、ユーザ端末１２０のアクセス権限が確認されれば、当該フォルダと関連したチャットルームが実体化され、ユーザ端末から入力されたメッセージスレッドの一部または全部が、当該ユーザ端末に一部または全部が表示され得るように、チャットルームと当該チャットルームに対応するメッセージスレッドを提供する。より具体的に、フォルダチャットルームは、当該フォルダに対するアクセス権限のある少なくとも１人のフォルダユーザにより作成または削除されることができ、閲覧されることができ、チャットルームにメッセージスレッドを追加できる。
【０１１０】
フォルダチャットルーム管理部３８０は、フォルダがフォルダ作成者により作成されるときにフォルダチャットルームを作成し、当該フォルダ作成者のユーザ選択及び指定を介して当該フォルダチャットルームに参加する対話参加者を決定できる。ここで、少なくとも対話参加者の各々は、当該フォルダのフォルダユーザのうちの１つでありうる。
【０１１１】
フォルダチャットルーム管理部３８０は、ユーザ端末１２０のアクセス権限を確認して、当該ユーザのアクセスが許容されたフォルダチャットルームを選別し、選別されたフォルダチャットルームに関する情報と、これに関するアクセス経路を含むフォルダチャットルーム目録をユーザ端末１２０に提供することができる。
【０１１２】
フォルダチャットルーム管理部３８０は、フォルダチャットルームに対する更新履歴を検出してチャットルーム修正履歴に反映することができる。ここで、フォルダチャットルームに他のユーザのメッセージ入力によりメッセージスレッドが追加されることは、フォルダチャットルームの更新履歴として認識されることができる。
【０１１３】
そして、フォルダチャットルーム管理部３８０は、チャットルーム修正履歴とユーザ識別情報、及びユーザ端末のフォルダチャットルームへのアクセス日時情報を利用して、フォルダチャットルームに対するファイルバッジ、すなわち、フォルダチャットルームバッジを作成し、更新することができる。
【０１１４】
そして、チャットルームがフォルダ内の特定ファイルと関連して作成される場合、チャットルームの作成は、当該ファイルに対するファイル修正履歴に反映される。そして、フォルダチャットルーム管理部３８０は、チャットルームの作成によって当該ファイルに対するファイルバッジを更新できる。
【０１１５】
制御部３９０は、プロセッサ２１０の動作全般を制御でき、フォルダアクセス管理部３１０、ファイル目録提供部３２０、ファイルバッジ管理部３３０、フォルダメモ帳管理部３４０、フォルダ管理部３５０、ファイル更新報知部３６０、及び業務客体管理部３７０間のデータフローを制御できる。
【０１１６】
制御部３９０は、ファイルバッジ管理部３３０のファイルバッジ値算出のために、ファイル目録提供部３２０、フォルダメモ帳管理部３４０、フォルダ管理部３６０、業務客体管理部３７０間のデータまたは信号を伝達し、これらを活性化したり、不活性化することにより動作を制御することもできる。
【０１１７】
制御部３９０は、フォルダメモ帳がルートフォルダメモ帳に指定されれば、サブフォルダメモ帳が他のルートフォルダメモ帳に指定される前まで当該フォルダメモ帳を当該フォルダ及び当該フォルダの下位フォルダに関する基本フォルダメモ帳として設定することができる。
【０１１８】
例えば、制御部３９０は、第１のフォルダに下位フォルダとして第１ないし第３のサブフォルダがあり、各々と関連したフォルダメモ帳が１個ずつ存在する場合を仮定したとき、第１のフォルダのフォルダ作成者により第１のフォルダのフォルダメモ帳に対するルートフォルダメモ帳設定要請が受信されれば、第１のフォルダのフォルダメモ帳を第１ないし第３のサブフォルダに関するルートフォルダメモ帳として設定することができる。
【０１１９】
これにより、制御部３９０は、ユーザ端末１２０から第２のサブフォルダに関するアクセスが受信されれば、第２のサブフォルダと関連したフォルダメモ帳の代りに、第１のフォルダと関連したフォルダメモ帳を提供して、ユーザ端末１２０が第２のサブフォルダのファイル目録を視覚化させる過程でルートフォルダメモ帳として設定された第１のフォルダと関連したフォルダメモ帳及び当該共有メモを視覚化させ、他のフォルダメモ帳をフォルダメモ帳リストとして視覚化させるようにすることができる。
【０１２０】
一実施形態において、制御部３９０は、特定フォルダと関連したフォルダメモ帳に対するルートフォルダメモ帳設定要請が受信されれば、当該フォルダが次上位フォルダまたは次上位フォルダの下位フォルダに該当するか確認し、それなら、該当設定要請を承認できる。
【０１２１】
制御部３９０は、当該フォルダ及び当該下位構造にある全てのサブフォルダと関連したファイル、フォルダメモ帳、及び当該フォルダメモ帳を介して作成された業務客体に関する統計情報を検出して、当該フォルダにある累積統計カウントに反映することができる。
【０１２２】
制御部３９０は、ファイル目録の提供過程で当該フォルダ及び当該下位フォルダにある全てのフォルダメモ帳作成個数、当該フォルダメモ帳を介して作成された業務客体作成個数、処理個数、業務指示者、及び業務処理者のうち、少なくとも１つに基づいて統計演算を行い、当該フォルダの累積統計カウントに反映することができ、例えば、ユーザ端末１２０が累積統計カウントシンボル（図７の７２６）を介して当該フォルダの累積統計カウントを表示させるようにすることができる。
【０１２３】
制御部３９０は、特定時間周期でフォルダ及び当該下位構造にある全てのサブフォルダと関連したフォルダメモ帳を介して作成された業務客体の中で業務進行状態及び締め切り期間に基づいて決定され得るリマインド条件を満たす業務客体を検出して、当該フォルダにあるトゥデイ業務リストに反映することができ、全てのフォルダ及び当該下位フォルダを対象に検出されたトゥデイ業務リストをユーザ端末１２０に提供して、ユーザ端末１２０がリマインド業務客体リストを視覚化させるようにすることができる。
【０１２４】
制御部３９０は、ユーザ端末１２０の要請に応じて未確認ファイル更新に関する統計情報または業務客体に関する統計情報に基づいて、当該フォルダに関するフィルタリングを行ったり、当該フォルダが整列されるようにすることができる。例えば、制御部３９０は、ユーザ端末１２０の要請に応じてフォルダ別に未確認ファイル更新個数が多い順に、または、作成された業務客体が多い順に整列されるようにすることができる。一実施形態において、制御部３９０は、ユーザ端末１２０の要請に応じてフォルダ内で当該フォルダ及び当該下位構造にあるフォルダメモ帳のうち、特定メモ帳を検索するフォルダメモ帳検索機能を提供することもできる。
【０１２５】
制御部３９０は、ユーザ端末１２０の要請に応じて未確認ファイル更新履歴または未確認関連ファイル更新に関する統計情報に基づいて、当該フォルダに関するフィルタリングを行ったり、当該フォルダが整列されるようにすることができる。例えば、制御部３９０は、ユーザ端末１２０の要請に応じてフォルダ別に未確認フォルダメモ帳更新回数が多い順に（フォルダメモバッジが大きい順に）整列されるようにすることができる。制御部３９０は、ユーザ端末１２０の要請に応じてフォルダ内で当該フォルダ及び当該下位構造にあるフォルダメモ帳のうち、特定フォルダメモ帳を検索するフォルダメモ帳検索機能を提供できる。
【０１２６】
また、制御部３９０は、フォルダ及び当該下位フォルダにある少なくとも１つのファイル客体と関連した業務客体に関する統計情報を累積演算して、当該フォルダにある業務客体統計カウントに反映することができる。一実施形態において、制御部３９０は、当該フォルダ内にあるファイル客体と関連した業務客体に関する統計情報を検出して累積統計カウントに含めることができる。例えば、業務客体の作成個数、処理個数、当該関連した業務作成者、及び業務処理者のうち、少なくとも１つに基づいて統計演算を行い、当該フォルダの累積統計カウントに反映することができる。
【０１２７】
制御部３９０は、当該フォルダにアクセスするフォルダ受信端末１２０のユーザと関連して、当該フォルダまたは当該下位サブフォルダにある全てのファイル客体のうち、業務客体と関連した少なくとも一部のファイル客体に関する当該ユーザのファイルバッジの値を合算し、当該フォルダ全体に関するユーザの未確認ファイル更新履歴の個数を表すファイルバッジ累積カウントとして提供することができる。
【０１２８】
図４は、図３にあるファイルバッジ管理部３３０がファイルの更新履歴を時系列にベクトル化された順次的目録として管理する過程の一実施形態を示した図である。
【０１２９】
一実施形態において、ファイルバッジ管理部３３０は、フォルダにある少なくとも１つのファイルの各々に関して、ユーザ別にファイル別に時間変位媒介変数としてタイムスタンプ（ｔｉｍｅ  ｓｔａｍｐ）を管理し、ユーザ別ファイル別ファイルバッジに反映することができる。ここで、タイムスタンプは、作成日付（ｇｅｎｅｒａｔｉｏｎ  ｔｉｍｅ）、修正日付（ｌａｓｔ  ｍｏｄｉｆｉｅｄ  ｔｉｍｅ）、及びアクセス日付（ｌａｓｔ  ａｃｃｅｓｓ  ｔｉｍｅ）を含むことができる。
【０１３０】
例えば、ファイルバッジ管理部３３０は、図４（ａ）のように、ユーザ別ファイル別タイムスタンプを介して定義されるユーザ別ファイル別ファイルバッジを作成でき、ユーザ別に各ファイルに対するアクセスまたは修正が発生される度に、ユーザ別ファイル別ファイルバッジを更新できる。
【０１３１】
また、ファイルバッジ管理部３３０は、図４（ｂ）のように、リアルタイムに更新されるユーザ別ファイル別ファイルバッジに基づいて、ユーザ別にファイルの各々に関するファイルバッジを算出及び更新でき、もし、当該フォルダに対するアクセスを要請するユーザ端末１２０のユーザがユーザＡであれば、当該フォルダにあるファイル１、２、及び３に関するファイルバッジ０、１、及び２をユーザ端末１２０に提供することができる。
【０１３２】
また、さらに他の実施形態によれば、図４を参照して図３にあるファイルバッジ管理部３３０またはフォルダメモ帳管理部３４０がユーザのフォルダメモに対するファイルバッジ（以下において、都合上、フォルダメモバッジと呼ぶ）を管理する過程の一実施形態を説明できる。
【０１３３】
図４において、ファイルバッジ管理部３３０またはフォルダメモ帳管理部３４０は、ユーザ端末１２０と関連したユーザ情報を取得し、フォルダメモ修正履歴にある当該ユーザの最も最近のアクセス日時と、当該アクセス日時以後に修正されたメモコンテンツとに基づいて、当該ユーザのフォルダメモバッジを作成できる。
【０１３４】
一実施形態において、ファイルバッジ管理部３３０またはフォルダメモ帳管理部３４０は、フォルダメモ帳の各々に関してユーザ独立的なフォルダメモ修正履歴を管理することができ、他の一実施形態において、当該フォルダにある少なくとも１つのフォルダメモ帳の各々に独立的であり、ユーザに独立的なフォルダメモ修正履歴を管理することもできる。
【０１３５】
ファイルバッジ管理部３３０またはフォルダメモ帳管理部３４０は、フォルダメモ帳に関してユーザ別に時間変位媒介変数としてタイムスタンプ（ｔｉｍｅ  ｓｔａｍｐ）を管理し、ユーザ別ファイルバッジに反映することができる。ここで、タイムスタンプは、作成日付（ｇｅｎｅｒａｔｉｏｎ  ｔｉｍｅ）、修正日付（ｌａｓｔ  ｍｏｄｉｆｉｅｄ  ｔｉｍｅ）、及びアクセス日付（ｌａｓｔ  ａｃｃｅｓｓ  ｔｉｍｅ）を含むことができる。
【０１３６】
一実施形態において、ファイルバッジ管理部３３０またはフォルダメモ帳管理部３４０は、図４（ａ）のように、当該フォルダメモ帳に関するメモ参加者等の接続時間をリアルタイムに確認して、当該フォルダメモ帳に関するユーザ別タイムスタンプをフォルダメモ修正履歴に格納して管理することができ、最も最近更新されたユーザ別タイムスタンプに基づいて、図４（ｂ）のように、当該フォルダメモ帳に関するユーザ別ファイルバッジを作成できる。
【０１３７】
例えば、図４において、フォルダメモ帳管理部３４０は、ユーザＡと関連したユーザ端末１２０のフォルダメモ帳１に関するアクセス権限が確認されれば、当該フォルダメモ帳１に関するフォルダメモ修正履歴から作成日付２０１７．１０．２１  １２：０８：５１と２回の修正日付２０１７．１０．２２  ０９：４３：２０及び２０１７．１０．２５  １１：０８：２２を検出でき、当該ユーザＡの最も最近のアクセス日付２０１７．１０．２２  ０９：４３：２０を検出して、当該アクセス日時以後に発生された１回の修正回数をカウントして当該ユーザＡのファイルバッジを１に算出することができ、これは、ユーザＡが最も最後に当該フォルダメモ帳をオープンした以後に、他のユーザにより当該フォルダメモ帳に合計１回の修正が発生したことを表す。
【０１３８】
また、図４を参照して図３にあるファイルバッジ管理部３３０または業務客体管理部３７０が業務客体または当該業務客体と関連したファイル客体に関するユーザのファイルバッジを管理する過程の一実施形態を説明できる。
【０１３９】
図４において、ファイルバッジ管理部３３０または業務客体管理部３７０は、当該業務客体と関連した特定ファイル客体に対するユーザ独立的なファイル修正履歴とユーザ別ファイルアクセス時間に基づいて、当該業務客体または関連した特定ファイル客体の更新に関するユーザ別未確認更新回数を表すユーザ別ファイルバッジを作成できる。
【０１４０】
より具体的に、業務客体管理部３７０は、前記ユーザ端末１２０による当該業務客体またはこれと関連した特定ファイル客体へのアクセスを検出して、当該ファイル修正履歴に当該ユーザの最も最近のアクセス日時を更新し、当該ユーザのファイルバッジを更新できる。
【０１４１】
一実施形態において、業務客体管理部３７０は、当該業務客体またはこれと関連した特定ファイル客体に関してユーザ別時間変位媒介変数としてタイムスタンプ（ｔｉｍｅ  ｓｔａｍｐ）を管理し、ユーザ別ファイルバッジに反映することができる。ここで、タイムスタンプは、作成日付（ｇｅｎｅｒａｔｉｏｎ  ｔｉｍｅ）、修正日付（ｌａｓｔ  ｍｏｄｉｆｉｅｄ  ｔｉｍｅ）、及びアクセス日付（ｌａｓｔ  ａｃｃｅｓｓ  ｔｉｍｅ）を含むことができる。
【０１４２】
一実施形態において、業務客体管理部３７０は、図４（ａ）のように、当該業務客体または関連したファイル客体に関するユーザ別接続時間をリアルタイムに確認して、ユーザ別タイムスタンプを当該ファイル修正履歴に更新することができ、最も最近更新されたユーザ別タイムスタンプに基づいて、図４（ｂ）のように、当該業務客体または関連したファイル客体に関するユーザ別ファイルバッジを作成できる。
【０１４３】
端末１２０のファイル１に関するアクセス権限が確認されれば、ファイル１に関するファイル修正履歴から作成日付２０１７．１０．２１  １２：０８：５１と２回の修正日付２０１７．１０．２２  ０９：４３：２０及び２０１７．１０．２５  １１：０８：２２を検出でき、当該ユーザＡの最も最近のアクセス日付２０１７．１０．２２  ０９：４３：２０を検出して、当該アクセス日時以後に発生された１回の修正回数をカウントして、当該ユーザＡのファイルバッジを１に算出することができ、これは、ユーザＡが最も最後に当該ファイル客体をオープンした以後に、他のユーザにより当該ファイル客体に合計１回の修正が発生したことを表す。
【０１４４】
図５は、プロセッサ２１０が修正されたファイルを時系列にベクトル化された順次的目録として管理する過程の一実施形態を示した図である。
【０１４５】
図５において、プロセッサ２１０は、任意のユーザ端末１２０によるファイルの修正、変更など、更新履歴を検出して、当該ファイルを作成日時と修正日時を基準に時系列にベクトル化された順次的目録として管理することができる。ここで、ファイルは、一般的なファイル客体だけでなく、前述したように、フォルダメモ帳、業務客体、業務客体と関連したファイルなどを全て含むことができる。
【０１４６】
一実施形態において、プロセッサ２１０は、ファイルが作成されるとき、当該ファイルを構成する複数のコンテンツを順次的なファイル配列を基準にベクトル化することができる、そして、ファイルの作成時点から時間フローを基準にコンテンツの追加、修正、または削除が発生される度に、当該コンテンツを既存のコンテンツのうち、少なくとも一部とベクトルとして接続して管理することができる。
【０１４７】
例えば、プロセッサ２１０は、作成されたファイルがコンテンツ１、コンテンツ２、及びコンテンツ３に順次構成された場合、当該コンテンツをコンテンツ１−コンテンツ２−コンテンツ３のベクトル化された順次的目録として管理することができる。そして、当該ファイルの作成時点以後に、修正日時ａにフォルダユーザによりコンテンツ１がコンテンツ１’’に修正され、コンテンツ１とコンテンツ２との間にコンテンツ４が追加される修正が検出されたならば、コンテンツ１をコンテンツ１’’でベクトル接続し、コンテンツ１とコンテンツ２との間をコンテンツ４でベクトル接続することができる。
【０１４８】
プロセッサ２１０は、ユーザ端末１２０による当該ファイルの読み出しを検出して、当該ユーザの当該ファイルに関する最も最近のアクセス日時以後に修正されたファイル内のコンテンツを追跡できる。
【０１４９】
より具体的に、プロセッサ２１０は、フォルダユーザのうちの１つのユーザにより当該ファイルに関する読み出し試みが感知または検出されれば、当該ユーザの当該ファイルに対する最後のアクセス日付（ｌａｓｔ  ａｃｃｅｓｓ  ｔｉｍｅ）を確認し、時系列にベクトル化された順次的目録として管理されるファイルを分析して、当該アクセス日付以後に修正されたコンテンツを検出できる。
【０１５０】
例えば、プロセッサ２１０は、ユーザの当該ファイルに対する最後のアクセス日付が修正日時ａと修正日時ｂとの間であることと確認されれば、コンテンツ２’’（修正）、コンテンツ５（追加）、コンテンツ３（削除）、及びコンテンツ６（追加）を当該ユーザと関連して最近修正されたファイル内コンテンツとして検出することができる。
【０１５１】
また、プロセッサ２１０は、ファイルまたはファイル目録を提供する過程で追跡されたファイル内の修正されたコンテンツをユーザ端末１２０に提供することにより、ユーザ端末１２０が当該ファイルを開けてディスプレイするとき、ファイル内の修正された部分に対しては修正されていない残りの部分とは相違した特定色相や特定フォント、または特定サイズを適用して表示させるようにすることができる。
【０１５２】
例えば、プロセッサ２１０は、ユーザ端末１２０が当該ファイルを開けて表示するとき、上記の例において最近修正されたファイル内コンテンツとして追跡されたコンテンツ２’’（修正）、コンテンツ５（追加）、コンテンツ３（削除）、及びコンテンツ６（追加）に対応する部分は赤色で表示させ、ユーザが当該ユーザの観点で全体ファイルのうち、最近修正された部分を視覚的、直観的に認識可能なようにして、確認の際の便宜を提供することができる。
【０１５３】
図６は、本発明の実施形態に係るフォルダ基盤のファイル管理方法を示したフローチャートである。
【０１５４】
本発明の実施形態に係るフォルダ基盤のファイル管理装置は、メモリ及び前記メモリと電気的に接続されたプロセッサを備える。
【０１５５】
ここで、プロセッサ２１０のうち、フォルダアクセス管理部３１０は、まず、ユーザ端末がフォルダにアクセスすることを感知するか、これに対する信号を受信できる（Ｓ６１０）。この過程で当該ユーザ端末が当該フォルダへのアクセス権限を有するか否かを先に検証することができる。ここには、ユーザ端末情報、ユーザ端末に対応するユーザのユーザ識別情報などが利用され得る。すなわち、フォルダアクセス管理部３１０は、ユーザ端末に対応するユーザのユーザ識別情報をユーザ端末から受信したり、取得してユーザ端末の前記フォルダへのアクセス権限有無を確認できる。
【０１５６】
ファイル目録提供部３２０は、フォルダにアクセスしたユーザ端末の権限に対応してフォルダ内ファイルのファイル目録を提供できる（Ｓ６２０）。フォルダ内に位置したり、当該フォルダを介してアクセス可能なファイルのうち、ユーザ端末がアクセス権限を有することにより、当該ユーザ端末のアクセスが許容されたフォルダ内ファイルのみでファイル目録を構成して提供することができる。ユーザがアクセス権限を有するファイルのみを選び出す過程でも、ユーザ識別情報またはユーザ端末に関する情報が使用され得る。
【０１５７】
一例に、当該フォルダに対する共有ユーザ、フォルダユーザ、業務共有者などに指定されたユーザであれば、フォルダへのアクセスが許容されることができる。そして、それぞれのファイル別には、アクセス権限に対して予め設定された場合がありうる。すなわち、同じフォルダを共有するユーザ間にも、各ユーザがアクセス権限を有するファイルは互いに相違することができる。
【０１５８】
ファイルバッジ管理部３３０は、当該ユーザがアクセス可能なファイルの各々に対して、当該ユーザのアクセス履歴を把握し、各ファイル別の当該ユーザ固有のファイルバッジ値を算出できる。そして、ファイル目録提供部３２０とファイルバッジ管理部３３０は、ユーザ端末のアクセスが許容されたファイルに対応するファイルバッジをファイル目録とともに提供することができる。そして、ファイルバッジは、ファイル目録上の各ファイル項目とともに表示されることができる。
【０１５９】
ここで、ファイルバッジは、ユーザ端末によるアクセスが許容されたファイルがアップロードされるか、更新されてファイル更新履歴が発生した場合、ユーザ端末によってまだ読み出されていないファイル更新履歴の個数を表すシンボルでありうる。そして、特定ファイルにおいて、ユーザ端末によってまだ読み出されていないファイル更新履歴の個数が当該ファイルのファイルバッジに表示されるファイルバッジ値でありうる。
【０１６０】
ファイルバッジ管理部３３０は、ファイルの修正、変更、メモ追加を含むファイル更新履歴を検出し、ファイルに対する前記更新履歴によってファイル別ファイル修正履歴をそれぞれのユーザに対してユーザ独立的に更新することができる。そして、ファイルバッジ管理部３３０は、ファイル別ファイル修正履歴とユーザ識別情報及びユーザ端末のファイル別ファイルアクセス時間に基づいて、それぞれのユーザに対応するファイル別ファイルバッジを作成できる。
【０１６１】
ここで、ファイルは、フォルダと関連したフォルダメモ帳でありうる。ここで、フォルダメモ帳は、ユーザ端末のアクセス権限を、確認によってユーザ端末でフォルダと関連したメモ帳に実体化することができ、修正追跡が可能なフォルダメモを含むメモ帳でありうる。
【０１６２】
ファイルバッジ管理部３３０は、この場合にも、フォルダメモに対する更新履歴を検出してフォルダメモ修正履歴に反映することができる。そして、ファイルバッジ管理部３３０は、フォルダメモ修正履歴とユーザ識別情報及びユーザ端末の前記フォルダメモ帳へのアクセス日時情報を利用して、当該フォルダメモ帳に対するファイルバッジ、すなわち、フォルダメモバッジを作成でき、これを更新し続けることができる。
【０１６３】
また、ここで、業務客体または当該業務客体に関連したファイルも本発明の実施形態におけるファイルのうちの１つでありうる。ここで、業務客体は、フォルダを介してアクセス可能であり、業務指示者、業務処理者、業務指示内容、及び業務処理内容のうちの１つ以上に関する情報を含んでカプセル化されている。そして、業務客体は、業務処理者または業務指示者のうち、１つ以上によりフィードバックされることができる。
【０１６４】
この場合、ファイルバッジ管理部３３０は、業務客体がファイルと関連して作成される場合、業務客体の作成をファイルに対するファイル修正履歴に反映し、その結果を反映してファイルまたは業務客体に対するファイルバッジを更新できる。
【０１６５】
すなわち、特定ファイルに業務客体が関連している場合、当該ファイルに関連した業務客体が作成されることで、当該ファイルに対応するファイルバッジ値は１つ増加することができる。同様に、関連した業務客体に対してｎ個の更新履歴が発生する場合、これも当該業務客体が関連しているファイルのファイルバッジに反映され、当該ファイルのファイルバッジ値はｎだけ増加することができる。
【０１６６】
したがって、ファイルバッジ管理部３３０は、業務客体に対する更新履歴を検出して業務客体修正履歴に反映し、更新履歴が反映された業務客体修正履歴とユーザ識別情報及びユーザ端末の前記業務客体への最終アクセス日時情報等を利用して業務客体または業務客体と関連したファイルに対応するファイルバッジを作成し、これを更新し続けることができる。
【０１６７】
その後、ファイルバッジ管理部３３０は、算出されたファイルバッジ値に基づいて、各ファイル別ファイルバッジをファイル目録とともに提供することができる（Ｓ６３０）。そして、ファイルバッジは、ファイル目録とともにユーザ端末に提供され、表示されることができる。
【０１６８】
そして、ファイルバッジ管理部３３０は、フォルダアクセス管理部３１０から以後のユーザ端末によるファイルへのアクセス可否に関する情報及び当該ユーザのファイル別最終アクセス日時に関する情報を提供されて、ユーザ別、ファイル別ユーザ端末の最終アクセス日時情報を更新できる。そして、ファイルバッジ管理部３３０は、最終アクセス日時情報の更新結果を繰り返し的、周期的に収集することにより、各ユーザに対応するファイル別ファイルバッジを更新できる。
【０１６９】
そして、ファイルバッジ管理部３３０は、当該ファイルに対する更新履歴をユーザ端末に提供することができる。すると、ユーザ端末は、修正された最終バージョンのファイルをオープンしてユーザ端末１２０の出力部を介して表すとき、更新履歴に対応する部分に、残りの部分とは相違した特定色相や特定フォント、または特定サイズのうちの１つ以上を適用して出力することができる。すなわち、ユーザ端末１２０は、ファイル内に修正されたコンテンツがある場合、修正されたコンテンツに対応する部分は、他の部分と視覚的な差を適用して表示することにより、修正された部分を確認するのにおいてユーザに便宜を提供することができる。
【０１７０】
そして、ファイルバッジ管理部３３０または制御部３９０は、フォルダ内に１つ以上のファイルが含まれる場合、各ファイルに対応するファイルバッジのファイルバッジ値を累積合算して、フォルダに対応するフォルダバッジ値を算出できる。そして、ファイルバッジ管理部３３０または制御部３９０は、算出されたフォルダバッジ値を用いて、当該フォルダに対応するフォルダバッジを作成することもできる。この場合、フォルダのフォルダバッジ値は、フォルダ内ファイル等のファイルバッジ値の総計と同じようになる。
【０１７１】
図７は、図１にあるユーザ端末がフォルダ基盤のファイル管理装置と連動して共有フォルダインターフェースを提供する過程の一実施形態を示した図である。
【０１７２】
例えば、図７のように、ファイルバッジ管理部３３０は、ユーザ端末１２０が［４．生産性］フォルダのファイル目録を視覚化する過程で、当該ユーザ［チェ・ジェホ］の当該フォルダに関するユーザ別ファイル別ファイルバッジに基づいて、ファイル［機能性フィルタ品質］、［フィルタ品質確保方案］、及び［フィルタ戦略インタビュー］の各々に関してファイル目録の第１のファイルバッジシンボル７２２を介してそれぞれのファイルバッジ［０］、［３］、及び［０］を表示でき、このうち、［フィルタ品質確保方案］のファイルバッジ［３］の場合、当該ユーザ［チェ・ジェホ］が最も最後に当該ファイルをオープンしたか、ダウンロードした後に、他のユーザによって合計３回の修正が発生したことを表す。
【０１７３】
図７において、フォルダ基盤のファイル管理装置１１０から提供されたフォルダ及び当該フォルダにあるファイル全般に関する情報に基づいて、当該ユーザ端末１２０に設けられた共有フォルダエージェントの共有フォルダインターフェース７００を介して当該フォルダ全般に関する情報をディスプレイすることができ、ユーザの要請に基づいて、共有フォルダインターフェース７００を介してフォルダに関するアクセスや作成、ファイル管理、及びフォルダメモ帳作成をフォルダ基盤のファイル管理装置１１０に要請することができる。
【０１７４】
ユーザ端末１２０は、共有フォルダエージェントに接続してフォルダ基盤のファイル管理装置１１０に共有フォルダに関するアクセスを要請することができ、フォルダ基盤のファイル管理装置１１０からアクセス可能なフォルダ目録を受信して、共有フォルダインターフェース７００のフォルダウィンドウ７１０を介して視覚化させることができる。ユーザ端末１２０は、フォルダ基盤のファイル管理装置１１０からフォルダ別に演算されたファイルバッジ累積カウントを視覚化させることができる。
【０１７５】
一実施形態において、ユーザ端末１２０は、フォルダ基盤のファイル管理装置１１０から受信されたフォルダ別に演算されたファイルバッジ累積カウントのうち、一般ファイルに関するファイルバッジ累積カウントをフォルダ目録の第１のファイルバッジ累積カウントシンボル７１２を介して表示し、フォルダメモ帳に関するファイルバッジ累積カウントをフォルダ目録の第２の累積カウントシンボル７１４を介して表示することができる。
【０１７６】
例えば、図７において、現在選択されたフォルダである「４．生産性」フォルダの場合、当該フォルダの一般ファイルに関するファイルバッジ累積カウントは６であり、フォルダメモ帳に関するファイルバッジ累積カウントは３である。
【０１７７】
図７に示すように、作成されたファイル別ファイルバッジを当該フォルダ［４．生産性］全体に関して累積演算して算出されたファイルバッジ累積カウント［６］及び当該サブフォルダ［量産設備構築］下位構造全体に関して累積演算して算出されたファイルバッジ累積カウント［２］を各々フォルダ目録の第１のファイルバッジ累積カウントシンボル７１２及びファイル目録の第１のファイルバッジ累積カウントシンボル７２２を介して表示することができる。
【０１７８】
そして、フォルダ管理部３５０は、各ファイルの関連性情報を含むファイル目録を提供して、ユーザ端末１２０がファイル目録を視覚化させる過程で関連性表示シンボル７２４を介して当該ファイルの関連性に関する情報をさらに表示させるようにすることができる。
【０１７９】
ユーザ端末１２０は、ユーザ選択によって当該フォルダ目録にある特定フォルダに関するアクセスを試みることができ、当該アクセスが許容されれば、当該フォルダのファイル目録とユーザ別ファイル別ファイルバッジ、及びフォルダメモ帳を受信して、これらの各々を実体化させるために、共有フォルダインターフェース７００のファイルウィンドウ７２０及びフォルダメモ帳ウィンドウ７３０を関連提供することができる。
【０１８０】
ユーザ端末１２０は、フォルダ基盤のファイル管理装置１１０から当該フォルダに関するファイル目録が受信されれば、ファイルウィンドウ７２０を介して当該フォルダのファイル及びサブフォルダに関するメタデータを視覚化させることができる。ユーザ端末１２０は、フォルダ基盤のファイル管理装置１１０から受信された各ファイルのファイルバッジを視覚化させることができる。
【０１８１】
一実施形態において、ユーザ端末１２０は、ファイルウィンドウ７２０のファイル目録の第１のファイルバッジ累積カウントシンボル７２２を介して当該フォルダにあるサブフォルダの場合には、当該サブフォルダ全体の一般ファイルに関するファイルバッジ累積カウントを表示し、一般ファイルの場合には、当該一般ファイルの更新回数を表す当該ファイルの当該ユーザ（チェ・ジェホ）に関するファイルバッジを表示できる。
【０１８２】
ユーザ端末１２０は、ファイル目録の第２のファイルバッジ累積カウントシンボル７２８を介して当該フォルダにあるサブフォルダの各々に関して、当該サブフォルダ全体のファイル及びフォルダメモ帳に関するファイルバッジ累積カウントを表示できる。
【０１８３】
ユーザ端末１２０は、関連性表示シンボル７２４を介して各ファイルに関する関連性情報を表示し、当該ファイルが当該フォルダのフォルダメモ帳と関連したか否かを視覚化させることができ、累積統計カウントシンボル７２６を介して当該フォルダの累積統計カウントを表示し、当該フォルダ及び当該下位構造にある全てのファイルの個数（合計ファイル数：５）、当該全てのファイルのファイルバッジ総計（ファイルバッジ総計：６）、及び当該下位構造の全てのフォルダメモバッジの総計（フォルダメモバッジ総計：２）を視覚化させることができる。
【０１８４】
ユーザ端末１２０は、フォルダウィンドウ７１０またはファイルウィンドウ７２０を介して特定ユーザ入力（例えば、ユーザによる空いた空間タッチ入力やマウス右クリック入力など）が受信されれば、フォルダ制御インターフェース（図示せず）をさらに提供して、フォルダ制御インターフェースを介して新規フォルダの作成、当該フォルダ内で新規サブフォルダの作成、新規フォルダメモ帳の作成、新規ファイルの送受信（ファイルアップロードやファイルダウンロード）、特定ファイルとフォルダメモ帳との間の関連性設定、予め設定された関連性の解除、フォルダメモ帳やファイル客体を他のフォルダに移動、フォルダユーザ招待及びフォルダメモ帳参加者指定のうち、少なくとも１つに関するユーザ要請を受信できる。
【０１８５】
ユーザ端末１２０は、フォルダ基盤のファイル管理装置１１０からフォルダメモ帳を受信し、フォルダメモ帳ウィンドウ７３０を介して視覚化させることができる。ユーザ端末１２０は、フォルダメモ帳ウィンドウ７３０を介してのユーザインタラクションに基づいて、当該フォルダメモ帳の共有メモに関する閲覧または内容修正を要請できる。
【０１８６】
ユーザ端末１２０は、フォルダメモ帳主要情報表示欄７３１を介して当該フォルダメモ帳の参加者、フォルダメモ帳題目、及び関連リンクされたファイルに関して表示することができる。
【０１８７】
ユーザ端末１２０は、共有メモ表示欄７３２を介して当該フォルダメモ帳の共有メモを表示できる。ユーザ端末１２０は、フォルダ基盤のファイル管理装置１１０から当該ユーザの当該メモ共有フィールドに関する未確認メモコンテンツを受信し、例えば、識別符号７３３のように、特定色相で表示することができる。もし、当該ユーザ［チェ・ジェホ］の当該メモ共有フィールドに関する最後のアクセス日付を基準に互いに異なるユーザによる２回の修正があったならば、ユーザ端末１２０は、識別符号７３３のように、１番目の修正コンテンツを第１の色相（赤色）で表示し、２番目の修正コンテンツを第２の色相（青色）で表示することができる。
【０１８８】
ユーザ端末１２０は、フォルダメモ帳に業務客体が追加された場合には、識別符号７３４のように、当該業務客体を当該フォルダメモ帳に記録された一般的なテキストメモと区分される独立的な客体として表現することができ、当該業務客体の業務内容、業務指示者、業務処理者、及び業務進行状態を視覚化できる（業務進行状態と関連して、新しい（●○○○）、する途中（○●○○）、終わった（○○●○）、または確認（○○○●）のような現在処理段階に対応するシンボルを介して現在業務進行状態を表すことができる）。
【０１８９】
ユーザ端末１２０は、業務客体作成ボタン７３５を介してユーザにより指定された業務指示者、業務処理者、業務内容、及び業務評点を含む業務をフォルダ基盤のファイル管理装置１１０に送信することができ、これにより、フォルダ基盤のファイル管理装置１１０は、当該業務を含む業務客体を作成して、当該フォルダメモ帳に新しい業務客体として追加し、識別符号７３４と同様に、当該新しい業務客体を当該フォルダメモ帳内に視覚化させることができる。
【０１９０】
ユーザ端末１２０は、ファイルアップロードボタン７３６を介して当該フォルダメモ帳にファイルを含めることができ、関連性設定ボタン７３７を介して当該フォルダメモ帳と当該フォルダにある特定ファイルとの間の関連性を設定して、当該フォルダメモ帳に関連リンクを作成できる。
【０１９１】
ユーザ端末１２０は、フォルダ基盤のファイル管理装置１１０から受信されたフォルダメモ帳目録をフォルダメモ帳目録表示欄７３８を介して視覚化することができ、これを介してユーザにより他のフォルダメモ帳が選択されれば、フォルダ基盤のファイル管理装置１１０に選択された他のフォルダメモ帳のオープンを要請でき、フォルダ基盤のファイル管理装置１１０から当該要請されたメッセージスレッドの少なくとも一部を受信して、既存のフォルダメモ帳の代わりに、新しく受信された他のフォルダメモ帳を視覚化させることができる。
【０１９２】
図８は、ユーザ端末がフォルダ基盤のファイル管理装置と連動してユーザインターフェースを提供する過程の他の実施形態を示した図である。
【０１９３】
図８において、ユーザ端末１２０は、フォルダ基盤のファイル管理装置１１０から提供されたフォルダ情報、ファイル目録、及びフォルダメモ帳に基づいて、当該ユーザ端末１２０に設けられた共有フォルダエージェントの共有フォルダインターフェース８００を介して当該フォルダ、ファイル、及びフォルダメモ帳に関する情報をディスプレイすることができ、共有フォルダインターフェース８００を介してフォルダアクセス要請、ファイルアクセス要請、及びフォルダメモ帳アクセス要請を含むユーザ入力を受信して、フォルダメモ帳提供装置１１０に送信することができる。
【０１９４】
ユーザ端末１２０は、共有フォルダエージェントに接続して、フォルダ基盤のファイル管理装置１１０に当該ユーザと関連したフォルダのアクセスを要請でき、フォルダ基盤のファイル管理装置１１０からアクセス可能なフォルダ目録を受信して、フォルダウィンドウ８１０を介して視覚化させることができる。
【０１９５】
ユーザ端末１２０は、フォルダ基盤のファイル管理装置１１０からフォルダ別に演算された関連ファイルバッジ累積カウントを受信して、第１の関連ファイルバッジ累積カウントシンボル８１２を介して表示することができ、フォルダ別に演算されたフォルダメモバッジ累積カウントを受信して、第１のフォルダメモバッジ累積カウントシンボル８１４を介して表示することができる。
【０１９６】
ユーザ端末１２０は、ユーザ選択によって当該フォルダ目録にある特定フォルダに関するアクセスを試みることができ、ユーザ端末１２０のアクセス権限を介して当該アクセスが承認されれば、フォルダ基盤のファイル管理装置１１０から当該フォルダのファイル目録とフォルダメモ帳、及びフォルダメモ帳目録を受信して、これらの各々を実体化させるために、ファイルウィンドウ８２０及びフォルダメモ帳ウィンドウ８３０を関連提供することができる。
【０１９７】
ユーザ端末１２０は、フォルダ基盤のファイル管理装置１１０から当該フォルダに関するファイル目録が受信されれば、ファイルウィンドウ８２０を介して当該ファイル目録にあるファイル及びサブフォルダに関するメタデータを視覚化させることができる。
【０１９８】
ユーザ端末１２０は、ファイルウィンドウ８２０の関連ファイルバッジシンボル８２２を介して当該フォルダのフォルダメモ帳と関連したファイルの各々に関する当該ユーザのファイルバッジを表示でき、関連性表示シンボル８２４を介して当該ファイルがフォルダメモ帳と関連したか否かを視覚化させながら、当該関連したフォルダメモ帳にアクセスするためのアクセスリンクを提供でき、累積統計カウントシンボル８２６を介して当該フォルダの累積統計カウントを表示して、当該フォルダと下位構造にある全てのフォルダメモ帳の個数（フォルダメモ帳数：４）、当該全てのフォルダメモ帳に関連リンクが作成されたファイルの個数（関連ファイル個数：３）、及び当該全てのフォルダメモ帳を介して作成された全ての業務客体個数（合計業務数：４）を視覚化させることができる。
【０１９９】
ユーザ端末１２０は、サブフォルダ別に演算された関連ファイルバッジ累積カウントを受信して、第２の関連ファイルバッジ累積カウントシンボル８２８を介して表示することができ、サブフォルダ別に演算されたフォルダメモバッジ累積カウントを受信して、第２のフォルダメモバッジ累積カウントシンボル８２９を介して表示することができる。
【０２００】
ユーザ端末１２０は、フォルダ基盤のファイル管理装置１１０から受信されたフォルダメモ帳目録をフォルダメモ帳目録表示欄８３９を介して視覚化することができ、これを介してユーザによる他のフォルダメモ帳の選択入力が受信されれば、フォルダ基盤のファイル管理装置１１０に当該選択された他のフォルダメモ帳のオープンを要請して、受信された他のフォルダメモ帳を視覚化させることができる。ユーザ端末１２０は、フォルダメモ帳提供装置１１０からフォルダメモ帳別に算出された当該ユーザのフォルダメモバッジを受信して、フォルダメモバッジシンボル８４０を介して表示することができ、フォルダメモ帳のオープンによって当該フォルダメモ帳に対するユーザのフォルダメモバッジが更新されれば、これを反映してフォルダメモバッジシンボル８４０を更新することができる。
【０２０１】
図９は、ユーザ端末がフォルダ基盤のファイル管理装置装置と連動してユーザインターフェースを提供する過程のさらに他の実施形態を示した図である。
【０２０２】
図９において、ユーザ端末１２０は、フォルダ基盤のファイル管理装置１１０から提供されたフォルダ情報、ファイル目録、及び業務客体目録に基づいて、当該ユーザ端末１２０に設けられた共有フォルダエージェントの共有フォルダインターフェース９００を介して当該フォルダ、ファイル客体、及び関連した業務客体に関する情報をディスプレイすることができ、共有フォルダインターフェース９００を介してフォルダアクセス要請、ファイル客体アクセス要請、及び関連した業務客体アクセス要請を含むユーザ入力を受信して、フォルダ基盤のファイル管理装置１１０に送信することができる。
【０２０３】
ユーザ端末１２０は、共有フォルダエージェントに接続してフォルダ基盤のファイル管理装置１１０に当該ユーザと関連したフォルダのアクセスを要請でき、フォルダ基盤のファイル管理装置１１０からアクセス可能なフォルダ目録を受信して、フォルダウィンドウ９１０を介して視覚化させることができる。
【０２０４】
ユーザ端末１２０は、フォルダ基盤のファイル管理装置１１０からフォルダ別に演算されたファイルバッジ累積カウントを受信し、当該フォルダにあるファイル客体のうち、業務客体と関連したファイル客体に関する当該ユーザの合計未確認更新回数をファイルバッジ累積カウントシンボル９１２を介して表示することができ、フォルダ別に累積演算された当該関連したメッセージスレッドの更新回数を業務チャットルーム新規メッセージ累積カウントシンボル９１４を介して表示することができる。
【０２０５】
ユーザ端末１２０は、ユーザ選択によって当該フォルダ目録にある特定フォルダに関するアクセスを試みることができ、ユーザ端末１２０のアクセス権限を介して当該アクセスが承認されれば、フォルダ基盤のファイル管理装置１１０から当該フォルダのファイル目録と業務客体目録を受信し、これらの各々を実体化させるために、ファイルウィンドウ９２０及び業務客体ウィンドウ９３０を関連提供することができる。
【０２０６】
ユーザ端末１２０は、フォルダ基盤のファイル管理装置１１０から当該フォルダに関するファイル目録が受信されれば、ファイルウィンドウ９２０を介して当該ファイル目録にあるファイル及びサブフォルダに関する主要情報を視覚化させることができる。
【０２０７】
ユーザ端末１２０は、ファイル目録ウィンドウ９２０の関連ファイルバッジシンボル９２２を介して当該フォルダにあり、業務客体と関連したファイル客体の各々に関する当該ユーザのファイルバッジを表示でき、第１の業務チャットルーム新規メッセージカウントシンボル９２４を介して当該ファイル客体の各々と関連した業務客体と関連した業務チャットルームで作成され、当該ユーザにより確認されていない未確認新規メッセージ個数を表示でき、第１の累積統計カウント表示欄９２６を介して当該フォルダの累積統計カウントを表示し、当該フォルダにある全体ファイル客体の個数（ファイル数：３）、業務客体と関連したファイル客体の個数（関連ファイル数：２）、及び当該ファイル客体と関連した業務客体個数（関連業務数：３）を視覚化させることができる。
【０２０８】
ユーザ端末１２０は、フォルダ基盤のファイル管理装置１１０から業務客体目録を受信し、業務客体ウィンドウ９３０を介して視覚化させることができる。ユーザ端末１２０は、業務客体ウィンドウ９３０に当該フォルダにあるファイル客体と関連した全ての業務客体に関する主要情報を表示でき、図９のように、各業務客体と関連したファイル客体名、当該業務客体の業務題目、業務作成者、業務処理者、業務締め切り期間、業務進行状態、関連した業務チャットルームの有無（あるならば、アクセスリンク）、及び関連した業務メモ帳の有無（あるならば、アクセスリンク）を含む業務客体目録を受信し、これを視覚化させることができる。
【０２０９】
ユーザ端末１２０は、第２の業務チャットルーム新規メッセージカウントシンボル９３２を介して当該業務客体目録にある業務客体と関連した業務チャットルームで作成され、当該ユーザにより確認されていない未確認新規メッセージ個数を表示でき、当該業務客体目録にある業務客体と関連した業務メモ帳がある場合、業務メモ帳リンクシンボル９３４を介して当該業務メモ帳の有無及びこれにアクセスするためのアクセス経路を提供でき、第２の累積統計カウント表示欄９３６を介して当該業務客体目録にある業務客体に関する累積統計カウントを表示して、当該関連した業務客体に関する作成個数、業務作成者、業務処理者、関連した業務チャットルーム、及び関連した業務メモ帳に関する統計情報を表示できる。
【０２１０】
ユーザ端末１２０は、当該業務客体目録にある特定業務客体がユーザにより選択されれば、フォルダ基盤のファイル管理装置１１０に当該選択された業務客体に関するアクセスを要請でき、フォルダ基盤のファイル管理装置１１０から選択された業務客体に関する詳細情報を受信して視覚化させることができる。一実施形態においてユーザ端末１２０は、選択された業務客体と関連した業務チャットルームや業務メモ帳のアクセスリンクをさらに受信したり、関連した業務メモ帳の業務メモをさらに受信して、当該選択された業務客体に関する詳細情報を視覚化させる過程で共に視覚化させることができる。
【０２１１】
上記では、本出願の好ましい実施形態を参照して説明したが、当該技術分野の熟練された通常の技術者は、下記の特許請求の範囲に記載された本発明の思想及び領域から逸脱しない範囲内で本出願を様々に修正及び変更させ得ることが理解できるであろう。
【符号の説明】
【０２１２】
１００  フォルダ基盤のファイル管理システム
１１０  フォルダ基盤のファイル管理装置
１２０  ユーザ端末
２１０  プロセッサ
２２０  メモリ
２３０  ユーザ入出力部
２４０  ネットワーク入出力部
３１０  フォルダアクセス管理部
３２０  ファイル目録提供部
３３０  ファイルバッジ管理部
３４０  フォルダメモ帳管理部
３５０  フォルダ管理部
３６０  ファイル更新報知部
３７０  業務客体管理部
３８０  制御部
【図１】
2019083014.tif 000006
【図２】
2019083014.tif 000007
【図３】
2019083014.tif 000008
【図４】
2019083014.tif 000009
【図５】
2019083014.tif 000010
【図６】
2019083014.tif 000011
【図７】
2019083014.tif 000012
【図８】
2019083014.tif 000013
【図９】
2019083014.tif 000014